(57)【要約】個別の買物リストを生成する方法、システム、およびコンピュータ読み取り可能な記録媒体。この方法は、顧客識別子と、関連づけられた商品識別子とを、小売店と関連づけられたコンピュータに電子的に受信することと、このコンピュータを使用して、顧客識別子に基づいて商品識別子と関連づけられた商品を含む個別の買物リストを生成することとを含む。ついで個別の買物リストは、小売店において、顧客識別子と関連づけられた顧客に配布される。個別の買物リストは、個別の買物リストの印刷されたリストまたは電子コピーとして顧客に配布することができ、顧客が選択した分類基準に従って分類することができる。また、リストに購入インセンティブと広告とを付随させることができる。【選択図】図１
2004503012.tif 000002
【特許請求の範囲】
【請求項１】
顧客に対応する顧客識別子と商品に対応する商品識別子とを電子的に受信することと、
前記商品識別子に関連づけられた商品を含む個別の買物リストを生成することと、
前記個別の買物リストを前記顧客識別子と関連づけることと、
前記個別の買物リストと前記顧客識別子とを記憶することと
を含む方法。
【請求項２】
前記個別の買物リストを前記顧客識別子に基づいて小売店の場所で顧客に配布することをさらに含む請求項１に記載の方法。
【請求項３】
前記電子的に受信するステップはさらに、
広域ネットワークを介して顧客のコンピュータから前記小売店の場所に関連づけられたコンピュータ装置に前記顧客識別子と商品識別子を受信するステップを含む請求項２に記載の方法。
【請求項４】
前記広域ネットワークはインターネットを含む請求項３に記載の方法。
【請求項５】
前記電子的に受信するステップは、
ローカルエリアネットワークと広域ネットワークのうち１つを介して、小売店のキオスクから前記小売店の場所に関連づけられたコンピュータ装置に前記顧客識別子と商品識別子を受信するステップを含む請求項２に記載の方法。
【請求項６】
前記広域ネットワークはインターネットを含む請求項５に記載の方法。
【請求項７】
前記商品識別子は複数の商品識別子を含み、
前記個別の買物リストを生成するステップは、前記複数の商品識別子を分類基準に従って分類することを含む請求項２に記載の方法。
【請求項８】
前記分類基準は、商品グループと、前記小売店の場所における前記複数の商品識別子と関連づけられた商品の通路の位置とのうち少なくとも１つを含む請求項７に記載の方法。
【請求項９】
前記複数の商品識別子を分類するステップは、前記複数の商品識別子を、顧客が選択した分類基準に従って分類することを含む請求項７に記載の方法。
【請求項１０】
前記個別の買物リストを顧客に配布するステップは、
前記個別の買物リストを、広域ネットワークとローカルエリアネットワークのうち１つを介して小売店のキオスクに送信することを含む請求項２に記載の方法。
【請求項１１】
前記顧客識別子に基づいてプロモーションを生成することと、
前記プロモーションを、前記個別の買物リストと共に、前記小売店の場所において前記顧客識別子と関連づけられた顧客に配布することとをさらに含む請求項２に記載の方法。
【請求項１２】
前記顧客識別子に基づいてプロモーションを生成するステップは、
前記顧客識別子に関連づけられて、記録された購入履歴に基づいてプロモーションを生成することを含む請求項１１に記載の方法。
【請求項１３】
前記商品識別子に基づいてプロモーションを生成することと、
前記プロモーションを、前記個別の買物リストと共に、前記小売店の場所において前記顧客識別子と関連づけられた顧客に配布することとをさらに含む請求項２に記載の方法。
【請求項１４】
前記商品識別子に基づいてプロモーションを生成するステップは、
トリガ項目に関して前記個別の買物リストを検索することをさらに含み、
前記プロモーションを配布するステップは、前記トリガ項目が前記個別の買物リストの中にある時、前記トリガ項目に関連づけられたプロモーションを、前記個別の買物リストと共に前記小売店の場所において前記顧客識別子に関連づけられた顧客に配布することを含む請求項１３に記載の方法。
【請求項１５】
コンピュータ装置が実行すると、コンピュータ装置に、請求項１から請求項１４のいずれか一項に記載された方法のステップを実行させる、コンピュータ装置上で実行するプログラム命令を含むコンピュータ読み取り可能な記録媒体。
【請求項１６】
個別の買物リストに関連するデータを中に具体化するメモリデバイスと、
前記メモリデバイスと通信するプロセッサであって、
顧客識別子と商品識別子とを受信し、
前記商品識別子に関連づけられた商品を含む買物リストを生成し、
前記買物リストを、前記顧客識別子と関連づけられた個別の買物リストとして前記メモリに記憶する
ように構成される前記プロセッサと
を備えた装置。
【請求項１７】
前記プロセッサはさらに、前記個別の買物リストを、前記顧客識別子に基づいて小売店の場所で顧客に配布するように構成される請求項１６に記載の装置。
【請求項１８】
前記商品識別子は複数の商品識別子を含み、前記プロセッサはさらに、前記複数の商品識別子を分類基準に従って分類することによって、分類された個別の買物リストを生成するように構成される請求項１６に記載の装置。
【請求項１９】
前記分類基準は、商品グループと、前記小売店の場所における前記複数の商品識別子と関連づけられた商品の通路の位置とのうち少なくとも１つを含む請求項１８に記載の装置。
【請求項２０】
前記メモリは広告と購入インセンティブに関連するデータを記憶し、
前記プロセッサはさらに、
前記顧客識別子に基づいてプロモーションを生成し、
前記購入インセンティブと広告のうち少なくとも１つを、前記個別の買物リストと共に前記小売店の場所において前記顧客識別子と関連づけられた顧客に配布するように構成される請求項１６に記載の装置。
【請求項２１】
前記プロセッサは、前記顧客識別子と関連づけられて、記録された購入履歴に基づいてプロモーションを生成することによって、前記顧客識別子に基づいてプロモーションを生成するように構成される請求項２０に記載の装置。
【請求項２２】
前記メモリは広告と購入インセンティブに関連するデータを記憶し、
前記プロセッサはさらに、
前記商品識別子に基づいてプロモーションを生成し、
前記プロモーションを、前記個別の買物リストと共に前記小売店の場所において前記顧客識別子と関連づけられた顧客に配布するように構成される請求項１６に記載の装置。
【請求項２３】
前記プロセッサは、
トリガ項目に関して前記個別の買物リストを検索し、
前記トリガ項目が前記個別の買物リストにある時、前記トリガ項目に関連づけられたプロモーションを、前記個別の買物リストと共に前記小売店の場所において前記顧客識別子に関連づけられた前記顧客に配布するように構成される請求項２２に記載の装置。
【請求項２４】
顧客識別子と商品識別子とを電子的に受信する手段と、
前記商品識別子と関連づけられた商品を含む個別の買物リストを生成する手段と、
前記個別の買物リストを、前記顧客識別子に関連づけられた個別の買物リストとして記憶する手段と
を備えた装置。
【請求項２５】
前記個別の買物リストを前記顧客識別子に基づいて小売店の場所で顧客に配布する手段をさらに備える請求項２４に記載の装置。
【請求項２６】
前記商品識別子は複数の商品識別子を含み、
前記個別の買物リストを生成する手段は、前記複数の商品識別子を分類基準に従って分類する手段を備える請求項２４に記載の装置。
【請求項２７】
前記分類基準は、商品グループと、前記小売店の場所における前記複数の商品識別子と関連づけられた商品の通路の位置とのうち少なくとも１つを含む請求項２６に記載の装置。
【請求項２８】
前記顧客識別子に基づいてプロモーションを生成する手段と、
前記プロモーションを、前記個別の買物リストと共に、前記小売店の場所において前記顧客識別子と関連づけられた顧客に配布する手段とをさらに備える請求項２４に記載の装置。
【請求項２９】
前記顧客識別子に基づいてプロモーションを生成する手段は、前記顧客識別子と関連づけられて、記録された購入履歴に基づいてプロモーションを生成する手段を備える請求項２８に記載の装置。
【請求項３０】
前記商品識別子に基づいてプロモーションを生成する手段と、
前記プロモーションを、前記個別の買物リストと共に、前記小売店の場所において前記顧客識別子と関連づけられた顧客に配布する手段とをさらに備える請求項２４に記載の装置。
【請求項３１】
前記商品識別子に基づいてプロモーションを生成する手段は、トリガ項目に関して前記個別の買物リストを検索する手段を備え、
前記プロモーションを配布する手段は、前記トリガ項目が前記個別の買物リストの中にある時には、前記トリガ項目に関連づけられたプロモーションを、前記個別の買物リストと共に前記小売店の場所において前記顧客識別子に関連づけられた顧客に配布する手段を備える請求項３０に記載の装置。
【請求項３２】
顧客に対応する顧客識別子を受信することと、
前記顧客識別子に関連づけられた個別の買物リストを得ることと、
前記個別の買物リストを、前記顧客識別子を受信したことに応答して小売店の場所において、前記顧客識別子に関連づけられた顧客に配布することと
を含む方法。
【請求項３３】
前記顧客識別子を受信するステップは、
前記顧客識別子を含む磁気カードを読み取ることと、前記顧客識別子を含むバーコードを光学的に走査することと、数字キーパッドから前記顧客識別子の手動の入力を受信することのうち少なくとも１つによって、顧客から顧客識別子を受信することを含む請求項３２に記載の方法。
【請求項３４】
前記顧客識別子を受信するステップは、
前記顧客識別子を携帯機器からの電子入力によって受信することを含む請求項３２に記載の方法。
【請求項３５】
前記携帯機器から電子入力によって顧客識別子を受信するステップは、前記顧客識別子を、ハードワイヤード媒体とワイヤレス媒体のうち少なくとも１つを介して受信することを含む請求項３４に記載の方法。
【請求項３６】
前記個別の買物リストを得るステップは、
個別の買物リストを生成するために、前記顧客識別子をコンピュータ装置に電子的に送信することと、
前記顧客識別子に関連づけられた個別の買物リストを、ローカルエリアネットワークと広域ネットワークのうち少なくとも１つを介して受信することと
を含む請求項３２に記載の方法。
【請求項３７】
前記個別の買物リストを得るステップは、分類された個別の買物リストを得ることを含む請求項３２に記載の方法。
【請求項３８】
前記分類された個別の買物リストを得るステップは、既定の分類基準とあらかじめ選択された分類基準のうち１つに基づいて分類された商品のリストを含む買物リストを得ることを含む請求項３７に記載の方法。
【請求項３９】
前記分類基準は、商品グループと前記小売店の場所における商品の位置とのうち少なくとも１つを含む請求項３８に記載の方法。
【請求項４０】
前記個別の買物リストを配布するステップは、前記買物リストのハードコピーを印刷することと、前記個別の買物リストの電子コピーを携帯機器に送信することのうち少なくとも１つを含む請求項３２に記載の方法。
【請求項４１】
前記個別の買物リストを携帯機器に電子的に送信するステップは、ハードワイヤード媒体とワイヤレス媒体のうち１つを介して前記個別の買物リストを携帯機器に電子的に送信することを含む請求項４０に記載の方法。
【請求項４２】
広告と購入インセンティブのうち少なくとも１つを得ることと、
前記広告と購入インセンティブのうち少なくとも１つを前記個別の買物リストと共に前記顧客に配布することとをさらに含む請求項３２に記載の方法。
【請求項４３】
前記広告と購入インセンティブのうち少なくとも１つを得るステップは、前記受信した顧客識別子と、前記個別の買物リストに含まれる商品のうち少なくとも１つに基づいて広告と購入インセンティブのうち少なくとも１つを得ることを含む請求項４２に記載の方法。
【請求項４４】
前記受信した顧客識別子と、前記個別の買物リストに含まれる商品のうち少なくとも１つに基づいて広告と購入インセンティブのうち少なくとも１つを得るステップは、前記顧客識別子に関連づけられた購入履歴に基づいて、広告と購入インセンティブのうち少なくとも１つを得ることを含む請求項４３に記載の方法。
【請求項４５】
前記広告と購入インセンティブのうち少なくとも１つを得るステップは、広域ネットワークを介して広告と購入インセンティブのうち少なくとも１つを電子的に受信することを含む請求項４２に記載の方法。
【請求項４６】
前記広告と購入インセンティブのうち少なくとも１つを配布するステップは、前記広告と購入インセンティブのうち少なくとも１つを印刷することと、前記広告と購入インセンティブのうち少なくとも１つを携帯機器に電子的に送信することのうち少なくとも１つを含む請求項４２に記載の方法。
【請求項４７】
前記顧客識別子と共に商品識別子を受信することをさらに含み、
前記個別の買物リストを得るステップは、個別の買物リストを生成するために、前記商品識別子と顧客識別子とをコンピュータ装置に電子的に送信することと、前記商品識別子に関連づけられた商品を含む個別の買物リストを受信することとを含む請求項３２に記載の方法。
【請求項４８】
前記商品識別子を顧客識別子と共に受信するステップは、前記商品識別子と顧客識別子を携帯機器から電子的に受信することを含む請求項４７に記載の方法。
【請求項４９】
前記顧客識別子と商品識別子を携帯機器から受信するステップは、ハードワイヤード媒体とワイヤレス媒体のうち少なくとも１つを介して前記携帯機器から前記商品識別子と顧客識別子とを受信することを含む請求項４８に記載の方法。
【請求項５０】
前記顧客識別子と商品識別子を送信するステップと、前記個別の買物リストを受信するステップは、ローカルエリアネットワークと広域ネットワークのうち少なくとも１つを介して実行される請求項４７に記載の方法。
【請求項５１】
前記携帯機器から分類基準を受信することと、
分類された個別の買物リストを生成するために、前記分類基準を、前記商品識別子と顧客識別子と共にコンピュータ装置に送信することと、
前記分類された個別の商品リストを受信することと
をさらに含む請求項４９に記載の方法。
【請求項５２】
前記分類基準を商品識別子と顧客識別子と共に送信するステップは、ローカルエリアネットワークと広域ネットワークのうち少なくとも１つを介して、前記分類基準を商品識別子と顧客識別子と共に送信することを含む請求項５１に記載の方法。
【請求項５３】
広告と購入インセンティブのうち少なくとも１つを得ることと、
前記広告と購入インセンティブのうち少なくとも１つを前記個別の買物リストと共に顧客に配布することとをさらに含む請求項５１に記載の方法。
【請求項５４】
前記広告と購入インセンティブのうち少なくとも１つを得るステップは、前記顧客識別子と商品識別子のうち少なくとも１つに基づいて前記広告と購入インセンティブのうち少なくとも１つを得ることを含む請求項５３に記載の方法。
【請求項５５】
前記広告と購入インセンティブのうち少なくとも１つを得るステップは、広域ネットワークを介して前記広告と購入インセンティブのうち少なくとも１つを電子的に受信することを含み、
前記広告と購入インセンティブのうち少なくとも１つを配布するステップは、ハードワイヤード媒体とワイヤレス媒体のうち少なくとも１つを介して前記広告と購入インセンティブのうち少なくとも１つを携帯機器に配布することを含む請求項５３に記載の方法。
【請求項５６】
前記商品識別子は複数の商品識別子を含み、
前記方法はさらに、分類基準に従って前記複数の商品識別子を分類するステップを含む請求項４２に記載の方法。
【請求項５７】
前記分類基準は、商品グループと、前記小売店の場所における前記複数の商品識別子と関連づけられた商品の通路の位置のうち少なくとも１つを含む請求項５６に記載の方法。
【請求項５８】
前記商品識別子を分類するステップは、前記顧客が選択した分類基準に従って前記商品識別子を分類することを含む請求項５６に記載の方法。
【請求項５９】
コンピュータ装置が実行すると、コンピュータ装置に、請求項３２から請求項５８のいずれか一項に記載された方法のステップを実行させる、コンピュータ装置上で実行するプログラム命令を含むコンピュータ読み取り可能な記録媒体。
【請求項６０】
個別の買物リストに関連するデータを中に具体化して有するメモリデバイスと、
前記メモリデバイスと通信するプロセッサであって、
顧客識別子を受信し、
前記顧客識別子と関連づけられた個別の買物リストを得、
前記個別の買物リストを、前記顧客識別子と関連づけられた顧客に配布する
ように構成された前記プロセッサと
を備えたキオスク。
【請求項６１】
前記プロセッサはさらに、前記顧客識別子を含む磁気カードを読み取ることと、前記顧客識別子を含むバーコードを光学的に走査することと、前記顧客識別子の手動の入力を数字キーパッドから受信することと、前記顧客識別子をワイヤレス媒体を介して受信することとのうち少なくとも１つで、前記顧客識別子を受信するように構成される請求項６０に記載のキオスク。
【請求項６２】
前記プロセッサは、
個別の買物リストを生成するために、前記顧客識別子をコンピュータ装置に電子的に送信することと、
ローカルエリアネットワークと広域ネットワークのうち少なくとも１つを介して前記顧客識別子と関連づけられた個別の買物リストを受信することと
によって、前記個別の買物リストを得るように構成される請求項６０に記載のキオスク。
【請求項６３】
前記プロセッサはさらに、前記買物リストのハードコピーを印刷することと、前記個別の買物リストの電子コピーを携帯機器に送信することとのうち少なくとも１つによって前記個別の買物リストを配布するように構成される請求項６０に記載のキオスク。
【請求項６４】
前記プロセッサはさらに、
広告と購入インセンティブのうち少なくとも１つを得、
前記広告と購入インセンティブのうち少なくとも１つを前記個別の買物リストと共に前記顧客に配布する
ように構成される請求項６０に記載のキオスク。
【請求項６５】
前記プロセッサはさらに、
前記広告と購入インセンティブのうち少なくとも１つを印刷することと、
前記広告と購入インセンティブのうち少なくとも１つを携帯機器に電子的に送信すること
のうち少なくとも１つによって、前記広告と購入インセンティブのうち少なくとも１つを配布するように構成される請求項６４に記載のキオスク。
【請求項６６】
前記プロセッサは、さらに、
前記顧客識別子と共に商品識別子を受信し、
個別の買物リストを生成するために、前記商品識別子と顧客識別子とをコンピュータ装置に電子的に送信することと、前記商品識別子と関連づけられた商品を含む個別の買物リストを受信することとによって個別の買物リストを得る
ように構成される請求項６０に記載のキオスク。
【請求項６７】
前記プロセッサはさらに、前記商品識別子と顧客識別子を携帯機器から電子的に受信することによって、前記顧客識別子と共に商品識別子を受信するように構成される請求項６６に記載のキオスク。
【請求項６８】
前記プロセッサはさらに、
前記携帯機器から分類基準を受信し、
分類された個別の買物リストを生成するために、前記分類基準を、前記商品識別子と顧客識別子と共にコンピュータ装置に送信し、
分類された個別の買物リストを受信する
ように構成される請求項６７に記載のキオスク。
【請求項６９】
顧客識別子を受信する手段と、
前記顧客識別子に関連づけられた個別の買物リストを得る手段と、
前記顧客識別子と関連づけられた顧客に前記個別の買物リストを配布する手段と
を備えたキオスク。
【請求項７０】
前記顧客識別子を受信する手段は、
前記顧客識別子を含む磁気カードを読み取ることと、前記顧客識別子を含むバーコードを光学的に走査することと、前記顧客識別子の手動の入力を数字キーパッドから受信することのうち少なくとも１つによって顧客から顧客識別子を受信する手段を備える請求項６９に記載のキオスク。
【請求項７１】
前記個別の買物リストを得る手段は、
個別の買物リストを生成するために、前記顧客識別子をコンピュータ装置に電子的に送信する手段と、
前記顧客識別子と関連づけられた個別の買物リストを、ローカルエリアネットワークと広域ネットワークのうち少なくとも１つを介して受信する手段と
を備える請求項６９に記載のキオスク。
【請求項７２】
前記個別の買物リストを配布する手段は、
前記買物リストのハードコピーを印刷することと、
前記個別の買物リストの電子コピーを携帯機器に送信することとのうち少なくとも１つを含む請求項６９に記載のキオスク。
【請求項７３】
広告と購入インセンティブのうち少なくとも１つを得る手段と、
前記広告と購入インセンティブのうち少なくとも１つを前記個別の買物リストと共に前記顧客に配布する手段とをさらに備える請求項６９に記載のキオスク。
【請求項７４】
前記広告と購入インセンティブのうち少なくとも１つを配布する手段は、
前記広告と購入インセンティブのうち少なくとも１つを印刷する手段と、
前記広告と購入インセンティブのうち少なくとも１つを携帯機器に電子的に送信する手段のうち少なくとも１つを備える請求項７３に記載のキオスク。
【請求項７５】
前記顧客識別子と共に商品識別子を受信する手段をさらに備え、
前記個別の買物リストを得る手段は、
個別の買物リストを生成するために、前記商品識別子と顧客識別子をコンピュータ装置に電子的に送信する手段と、
前記商品識別子に関連づけられた商品を含む個別の買物リストを受信する手段とを備える請求項６９に記載のキオスク。
【請求項７６】
前記顧客識別子と共に商品識別子を受信する手段は、携帯機器から前記商品識別子と顧客識別子とを電子的に受信する手段を備える請求項７５に記載のキオスク。
【請求項７７】
前記携帯機器から分類基準を受信する手段と、
分類された個別の買物リストを生成するために、前記分類基準を前記商品識別子と顧客識別子と共にコンピュータ装置に送信する手段と、
前記分類された個別の買物リストを受信する手段と
をさらに備える請求項７６に記載のキオスク。
【請求項７８】
個別の買物リストに関連する情報を受信し監視することと、
前記受信した情報に基づいて少なくとも１つのプロモーションを生成することと、
前記少なくとも１つのプロモーションを小売店の場所において前記個別の買物リストと共に前記顧客に配布することと
を含む方法。
【請求項７９】
前記個別の買物リストと関連づけられた顧客を表す顧客識別子を決定することと、
前記顧客識別子に基づいてプロモーションを生成することと
をさらに含む請求項７８に記載の方法。
【請求項８０】
前記顧客識別子に基づいてプロモーションを生成するステップは、前記顧客識別子に関連づけられた、記録された購入履歴に基づいてプロモーションを生成することを含む請求項７９に記載の方法。
【請求項８１】
前記個別の買物リストに含まれる商品を表す商品識別子を決定することと、
前記商品識別子に基づいてプロモーションを生成することと
をさらに含む請求項７８に記載の方法。
【請求項８２】
前記商品識別子に基づいてプロモーションを生成するステップは、トリガ項目に関して前記個別の買物リストを検索することを含み、
前記プロモーションを配布するステップは、前記トリガ項目が前記個別の買物リストの中にある時に、前記トリガ項目に関連づけられたプロモーションを、前記個別の買物リストと共に前記小売店の場所において前記顧客識別子に関連づけられた前記顧客に配布することを含む請求項８１に記載の方法。
【請求項８３】
前記商品識別子は複数の商品識別子を含み、前記方法はさらに、
前記複数の商品識別子を分類基準に基づいて分類することを含む請求項８１に記載の方法。
【請求項８４】
前記分類基準は、商品グループと、前記小売店の場所における前記複数の商品識別子に関連づけられた商品の通路の位置とのうち少なくとも１つを含む請求項８３に記載の方法。
【請求項８５】
前記複数の商品識別子を分類するステップは、顧客が選択した分類基準に従って前記複数の商品識別子を分類することを含む請求項８３に記載の方法。
【請求項８６】
コンピュータ装置が実行すると、コンピュータ装置に、請求項７８から請求項８５のいずれか一項に記載された方法のステップを実行させる、コンピュータ装置上で実行するプログラム命令を含む、コンピュータ読み取り可能な記録媒体。
【請求項８７】
個別の買物リストに関連するデータを中に具体化して有するメモリと、
前記メモリ装置と通信するプロセッサであって、
個別の買物リストを得る顧客の電子取引を監視し、
広告と購入インセンティブのうち少なくとも１つを生成し、
前記広告と購入インセンティブのうち少なくとも１つを、前記個別の買物リストと共に小売店の場所において前記顧客に配布する
ように構成される前記プロセッサと
を備えた装置。
【請求項８８】
前記プロセッサはさらに、
前記個別の買物リストを得る前記顧客を表す顧客識別子を決定し、
前記顧客識別子に基づいてプロモーションを生成する
ように構成される請求項８７に記載のコンピュータ装置。
【請求項８９】
前記プロセッサはさらに、前記顧客識別子と関連づけられた、記録された購入履歴に基づいてプロモーションを生成することによって、前記顧客識別子に基づいてプロモーションを生成するように構成される請求項８８に記載のコンピュータ装置。
【請求項９０】
前記プロセッサはさらに、前記個別の買物リストに含まれる商品を表す商品識別子を決定し、前記商品識別子に基づいてプロモーションを生成するように構成される請求項８７に記載のコンピュータ装置。
【請求項９１】
前記プロセッサは、
トリガ項目に関して前記個別の買物リストを検索し、
前記トリガ項目が前記個別の買物リストの中にある時に、前記トリガ項目に関連づけられたプロモーションを、前記個別の買物リストと共に、前記小売店の場所において前記顧客識別子と関連づけられた顧客に配布することによって、前記プロモーションを配布する
ように構成される請求項９０に記載のコンピュータ装置。
【請求項９２】
前記商品識別子は複数の商品識別子を含み、
前記プロセッサはさらに、前記複数の商品識別子を分類基準に従って分類するように構成される請求項９０に記載のコンピュータ装置。
【請求項９３】
個別の買物リストを得る顧客の電子取引を監視する手段と、
広告と購入インセンティブのうち少なくとも１つを生成する手段と、
前記広告と購入インセンティブのうち少なくとも１つを、前記個別の買物リストと共に小売店の場所において前記顧客に配布する手段と
を備えた装置。
【請求項９４】
前記個別の買物リストを得る顧客を表す顧客識別子を決定する手段と、
前記顧客識別子に基づいてプロモーションを生成する手段とをさらに備える請求項９３に記載の装置。
【請求項９５】
前記顧客識別子に基づいてプロモーションを生成する手段は、前記顧客識別子に関連づけられた、記録された購入履歴に基づいてプロモーションを生成する手段を備える請求項９４に記載の装置。
【請求項９６】
前記個別の買物リストに含まれる商品を表す商品識別子を決定する手段と、
前記商品識別子に基づいてプロモーションを生成する手段と
をさらに含む請求項９３に記載の装置。
【請求項９７】
前記商品識別子に基づいてプロモーションを生成する手段は、トリガ項目に関して前記個別の買物リストを検索する手段を備え、
前記プロモーションを配布する手段は、前記トリガ項目が前記個別の買物リストの中にある時に、前記トリガ項目と関連づけられたプロモーションを、前記個別の買物リストと共に前記小売店の場所において前記顧客識別子と関連づけられた顧客に配布する手段を備える請求項９６に記載の装置。
【請求項９８】
前記商品識別子は複数の商品識別子を含み、
前記装置はさらに、
前記複数の商品識別子を分類基準に従って分類する手段を備える請求項９７に記載の装置。
【請求項９９】
顧客識別子を小売店の場所に関連づけられたコンピュータ装置に電子的に送信することと、
前記顧客識別子に関連づけられた個別の買物リストを前記小売店の場所で電子的に受信することと
を含む方法。
【請求項１００】
前記商品識別子を前記コンピュータ装置に電子的に送信することと、
前記顧客識別子と関連づけられた個別の買物リストを前記小売店の場所において電子的に受信することであって、前記個別の買物リストは前記商品識別子と関連づけられた商品を含むことと
をさらに含む請求項９９に記載の方法。
【請求項１０１】
前記商品識別子を電子的に送信するステップは、
前記商品識別子を顧客のコンピュータに記憶することと、
前記商品識別子を前記顧客のコンピュータから広域ネットワークを介して前記コンピュータ装置に電子的に送信することと
を含む請求項１００に記載の方法。
【請求項１０２】
前記商品識別子を電子的に送信するステップと、前記顧客識別子を電子的に送信するステップは、
前記顧客識別子と商品識別子を携帯機器に記憶することと、
前記顧客識別子と商品識別子を、前記携帯機器から前記小売店に関連づけられた前記コンピュータ装置に電子的に送信することと
を含む請求項１００に記載の方法。
【請求項１０３】
前記分類のステップは、前記携帯機器を使用して商品のパッケージから前記商品識別子を走査することを含む請求項１０２に記載の方法。
【請求項１０４】
前記顧客識別子と商品識別子とを前記携帯機器から前記小売店の場所に関連づけられた前記コンピュータに電子的に送信するステップは、
前記顧客識別子と商品識別子とを、ハードワイヤード媒体とワイヤレス通信リンクのうち１つを介して、前記携帯機器から、前記小売店の場所に関連づけられた前記コンピュータに電子的に送信することを含む請求項１０２に記載の方法。
【請求項１０５】
前記電子的に受信するステップは、前記小売店の場所に関連づけられた前記コンピュータ装置から携帯機器に前記個別の買物リストの電子コピーを受信することを含む請求項９９に記載の方法。
【請求項１０６】
前記携帯機器に個別の買物リストの電子コピーを受信するステップは、ハードワイヤード媒体とワイヤレス通信リンクのうち１つを介して前記コンピュータ装置から前記携帯機器に前記個別の買物リストの電子コピーを受信することを含む請求項１０５に記載の方法。
【請求項１０７】
分類基準を前記コンピュータ装置に電子的に送信することをさらに含み、
前記個別の買物リストを受信するステップは、前記分類基準に従って分類された個別の買物リストを受信することを含む請求項１００に記載の方法。
【請求項１０８】
前記分類基準を前記コンピュータ装置に電子的に送信するステップは、商品カテゴリ基準と通路の位置基準のうち少なくとも１つを送信することを含む請求項１０７に記載の方法。
【請求項１０９】
分類基準を前記携帯機器に記憶することと、
前記分類基準を、前記顧客識別子と商品識別子と共に前記コンピュータ装置に電子的に送信することとをさらに含む請求項１０２に記載の方法。
【請求項１１０】
前記携帯機器において前記個別の買物リストと共にプロモーションを受信することをさらに含む請求項１００に記載の方法。
【請求項１１１】
前記プロモーションを受信するステップは、前記顧客識別子と商品識別子のうち少なくとも１つに基づいて購入インセンティブと広告のうち少なくとも１つを受信することを含む請求項１１０に記載の方法。
【請求項１１２】
携帯機器上で実行するプログラム命令を含むコンピュータ読み取り可能な記録媒体であって、前記携帯機器がプログラム命令を実行すると、請求項９９から１１１のいずれか一項に記載の方法のステップをコンピュータ装置に実行させるプログラム命令を含む、コンピュータ読み取り可能な記録媒体。
【請求項１１３】
個別の買物リストに関連するデータを中に具体化して有するメモリデバイスと、
前記メモリデバイスと通信するプロセッサであって、
顧客識別子を小売店の場所に関連づけられたコンピュータ装置に電子的に送信し、
前記顧客識別子と関連づけられた個別の買物リストを前記小売店の場所において電子的に受信する
ように構成される前記プロセッサと
を備えた携帯機器。
【請求項１１４】
前記プロセッサはさらに、
前記コンピュータ装置に商品識別子を電子的に送信し、
前記顧客識別子と関連づけられた個別の買物リストを前記小売店の場所において電子的に受信することであって、前記個別の買物リストは前記商品識別子と関連づけられた商品を含む
ように構成される請求項１１３に記載の携帯機器。
【請求項１１５】
前記プロセッサはさらに、前記顧客識別子と前記商品識別子とを、ハードワイヤード媒体とワイヤレス通信リンクのうち１つを介して携帯機器から前記小売店の場所に関連づけられたコンピュータに電子的に送信することによって、前記顧客識別子と商品識別子とを前記コンピュータ装置に電子的に送信するように構成される請求項１１４に記載の携帯機器。
【請求項１１６】
前記プロセッサはさらに、前記コンピュータ装置から携帯機器に前記個別の買物リストの電子コピーを受信することによって前記個別の買物リストを受信するように構成される請求項１１３に記載の携帯機器。
【請求項１１７】
前記プロセッサはさらに、
前記コンピュータ装置に分類基準を電子的に送信し、
前記分類基準に従って分類された、分類された個別の買物のリストを受信することによって前記個別の買物リストを受信する
ように構成される請求項１１３に記載の携帯機器。
【請求項１１８】
前記プロセッサはさらに、前記個別の買物リストと共にプロモーションを受信するように構成される請求項１１４に記載の携帯機器。
【請求項１１９】
前記プロセッサはさらに、前記顧客識別子と商品識別子のうち少なくとも１つに基づくプロモーションを受信することによってプロモーションを受信するように構成される請求項１１８に記載の携帯機器。
【請求項１２０】
前記小売店の場所に関連づけられたコンピュータ装置に顧客識別子を電子的に送信する手段と、
前記顧客識別子と関連づけられた個別の買物リストを前記小売店の場所において電子的に受信する手段と
を備えた携帯機器。
【請求項１２１】
商品識別子を前記コンピュータ装置に電子的に送信する手段と、
前記顧客識別子と関連づけられた個別の買物リストを前記小売店の場所において電子的に受信する手段であって、前記個別の買物リストは前記商品識別子と関連づけられた商品を含む、前記手段と
をさらに備えた請求項１２０に記載の携帯機器。
【請求項１２２】
前記コンピュータ装置に分類基準を電子的に送信する手段をさらに含み、
前記個別の買物リストを受信する手段は、前記分類基準に従って分類された、分類された個別の買物リストを受信することを含む請求項１２０に記載の携帯機器。
【請求項１２３】
前記分類基準を前記携帯機器に記憶する手段と、
前記分類基準を前記顧客識別子と商品識別子と共に前記コンピュータ装置に電子的に送信する手段と
をさらに備えた請求項１２１に記載の携帯機器。
【請求項１２４】
前記携帯機器において前記個別の買物リストと共にプロモーションを受信する手段をさらに備える請求項１２０に記載の携帯機器。
【発明の詳細な説明】
【０００１】
（技術分野）
本発明は一般に買物リスト（ｓｈｏｐｐｉｎｇ ｌｉｓｔ）を生成する方法とシステムに関し、より具体的には、小売店の場所において顧客に配布する個別の（ｐｅｒｓｏｎａｌｉｚｅｄ）買物リストを生成する方法とシステムとに関する。
【０００２】
（背景技術）
食品雑貨品を買う人であれば誰でも知っているように、買物リストを使用すると食品雑貨品の買物という仕事を容易にし、買い忘れる商品を減らすことができる。しかし手書きの買物リストを作成するのは時間がかかり、このリストを目的とする買物の前に維持しておくことは困難である場合がある。さらに、これらの手書きの買物リストの商品は典型的には無秩序にリストされており、この結果、消費者が買物の時に小売店で場所を探すのに余計な時間を費やす結果となる場合がある。
【０００３】
さらに、特定の消費者の購入履歴および／または消費者の現在の取引における購入項目に基づいて、購入インセンティブと広告を消費者に提供することはよく知られている。このターゲットを絞ったマーケティングの形態は、ターゲットを絞った広告または購入インセンティブを提供するマーケティング業者が、広告または購入インセンティブの対象である商品を消費者がいつ必要とするのかを正確に知ることができず、また顧客がいつ買物に出かけるかを正確に知ることができないという欠点を有する。したがって、ターゲットとなっている項目が、消費者がマーケティング対象の商品を買うよりかなり前に消費者に配送されることがある。このため、現在のターゲットを絞った広告は、消費者が広告を受け取る時と、その広告に関連する商品を買物する時の間に広告のメッセージの効力が薄れるかも知れないという欠点を有する。さらに、ターゲットを絞った購入インセンティブはこの間になくなるかも知れないし、捨てられてしまうかも知れない。
【０００４】
（発明の開示）
したがって、本発明の１つの目的は、小売店の場所において消費者に配布する個別の買物リストを生成する方法、システム、およびコンピュータプログラム製品を提供することである。
【０００５】
本発明の別の目的は、消費者の個別の買物リストを、買物を容易にするような方法で構成する方法とシステムとを提供することである。
【０００６】
本発明のさらに別の目的は、消費者が買物をする直前に、小売店の場所において、ターゲットを絞った購入インセンティブとターゲットを絞った広告とを消費者に配布する方法とシステムとを提供することである。
【０００７】
本発明のさらに別の目的は、買物の間に購入したいと消費者が識別した商品に基づいて、小売店の場所においてターゲットを絞った購入インセンティブとターゲットを絞った広告とを消費者に配る方法とシステムとを提供することである。
【０００８】
これらの目的および他の目的は、買物リストを生成し印刷する新規な方法、システム、およびコンピュータプログラム製品を提供することによって達成される。
【０００９】
本発明の１態様によれば、個別の買物リストを生成するシステム、コンピュータプログラム製品および方法が提供される。このシステムとコンピュータプログラム製品の基礎になる方法は、顧客識別子と商品識別子とを電子的に受信することと、商品識別子に関連づけられた商品を含む買物リストを生成することと、買物リストを顧客識別子と関連づけられた個別の買物リストとして記憶することとを含む。この方法はさらに、顧客識別子に基づいて個別の買物リストを小売店の場所において顧客に配布することを含んでいてもよい。個別の買物リストおよび／または商品の場所に関連するデータは、インターネットなどの広域ネットワークを介して送受信され、個別の買物リストは、商品グループおよび／または商品の場所を含む既定の（ｐｒｅｄｅｔｅｒｍｉｎｅｄ、予め定められた）分類基準（ｓｏｒｔｉｎｇ ｃｒｉｔｅｒｉａ、ソート基準）または選択された分類基準に従って分類する（ｓｏｒｔ、ソートする、取り出す、選択する）ことができる。さらに、顧客識別子および／または商品識別子に基づいて、個別の買物リストと共に広告と購入インセンティブを生成し顧客に配布することができる。
【００１０】
本発明の別の態様によれば、個別の買物リストを提供するキオスク、コンピュータプログラム製品、および方法が提供される。キオスクとコンピュータプログラム製品の基礎となる方法は、顧客識別子を受信することと、顧客識別子に関連づけられた個別の買物リストを得ることと、小売店の場所において顧客識別子と関連づけられた顧客に個別の買物リストを配布することとを含む。顧客識別子は、顧客の手動の入力か、または携帯機器（ｈａｎｄ ｈｅｌｄ ｄｅｖｉｃｅ）からの電子的な入力のいずれかによって受信され、商品識別子は顧客識別子と共に受信することができる。個別の買物リストはインターネットなどの広域ネットワークまたはローカルエリアネットワークを介して得られ、既定の分類基準またはあらかじめ選択された分類基準に従って分類することができる。さらに、広告と購入インセンティブは顧客識別子および／または商品識別子に基づいて得ることができる。個別の買物リスト、広告および購入インセンティブは、ハードワイヤード（ｈａｒｄｗｉｒｅｄ、有線）媒体およびワイヤレス媒体のうち１つを介して携帯機器に電子的に送信することによって配布するか、または印刷されたハードコピーによって配布することができる。
【００１１】
本発明の別の態様によれば、個別の買物リストと共に配布する広告と購入インセンティブを生成する小売店コンピュータ、コンピュータプログラム製品および方法が提供される。小売店コンピュータとコンピュータプログラム製品の基礎となる方法は、個別の買物リストを得る顧客の電子取引を監視することと、広告と購入インセンティブを生成することと、広告と購入インセンティブを個別の買物リストと共に小売店の場所で顧客に配布することとを含む。監視の結果顧客識別子と商品識別子が決定され、決定された顧客識別子と商品識別子に基づいて購入インセンティブおよび／または広告が生成される。商品識別子を使用する場合、購入インセンティブと広告は、顧客識別子と関連づけられて記録された購入履歴に基づいて生成される。商品顧客識別子（ｐｒｏｄｕｃｔ ｃｏｎｓｕｍｅｒ ｉｄｅｎｔｉｆｉｅｒ）を使用する場合、トリガ項目に関して個別の買物リストを検索する。トリガ項目が見つかった場合、小売店の場所において、そのトリガ項目と関連づけられた購入インセンティブと広告を、個別の買物リストと共に顧客に配布する。監視ステップを使用して分類基準を決定し、決定された分類基準に従って個別の買物リストを分類してもよい。
【００１２】
本発明のさらに別の態様によれば、個別の買物リストを得る携帯機器、コンピュータプログラム製品および方法が提供される。携帯機器とコンピュータプログラム製品の基礎となる方法は、顧客識別子を小売店の場所に関連づけられたコンピュータ装置に電子的に送信することと、顧客識別子と関連づけられた個別の買物リストを小売店の場所で電子的に受信することとを含む。商品識別子と分類基準はまたコンピュータ装置に送信することもできるが、この場合、個別の買物リストは送信された商品識別子と関連づけられた商品を含み、分類基準に従って分類される。さらに、個別の買物リストと共に、商品識別子および／または顧客識別子に基づいた広告と購入インセンティブを受信することもでき、データのすべての送受信は、ハードワイヤード媒体および／またはワイヤレス媒体を介して行うことができる。
【００１３】
付随する図面と共に次の詳細な説明を参照することによって本発明をよりよく理解すると、本発明と本発明に付随する利点のより完全な理解が容易に得られるであろう。
【００１４】
（発明を実施するための最良の形態）
次にいくつかの図面に渡って同様な参照番号は同じ部分または対応する部分を示す図面を参照し、特に図１を参照すると、本発明を説明するシステムが示されている。このシステムは、インターネット１０１などの広域ネットワーク（ＷＡＮ）、顧客コンピュータ１０３、商品スキャナ１０７を備えた顧客コンピュータ１０５、買物リストサーバ１０９、店のデータベース１１１、買物リストデータベース１１３、広告業者のサーバ１１５、各々がデータ転送ユニット１２３、顧客インタフェース１２５、プリンタ１２７を伴う、１つまたは複数のキオスク１２１を有する１軒または複数の小売店１１９、通信リンク１２９を介してキオスク１２１に結合できる携帯機器２０１を含む。
【００１５】
各顧客または消費者は、特定の消費者を識別する顧客識別（ＣＩＤ）を提供される。ＣＩＤは、個別の買物リストを生成するために走査、読取、または他の方法でコンピュータ装置に入力される任意の識別子であってよい。好ましくは、ＣＩＤは迅速に走査できるようにバーコードとして表されるが、識別を記憶するかまたは表示する任意の他のタイプの、機械で読み取ることのできる（または機械以外で読み取ることのできる）実装を使用することができ、その中には、カード（たとえばスマートカード）上の磁気ストリップおよびコンピュータまたはメモリチップが含まれる。可能なＣＩＤの例は、クレジットカード番号、デビットカード番号、社会保障カード番号、運転免許証番号、小切手講座番号、郵便の住所、名前、電子メールアドレス、電話番号、得意客カード番号、買物客カード識別（ＳＣＩＤ）、または小売店１１９のうち１軒が発行する買物客ｌｏｙａｌｔｙ（忠実）カード番号であるが、任意の適切な識別の形態を使用することができる。
【００１６】
顧客コンピュータ１０３と１０５、買物リストサーバ１０９、広告業者のサーバ１１５、およびキオスク１２１は各々、汎用コンピュータ（たとえば図１０のコンピュータ１００１）として実装することができ、インターネット１０１などの広域ネットワーク（ＷＡＮ）上で互いに通信するように適切にプログラミングすることができる。インターネット１０１は、種々のコンピュータネットワークと、顧客コンピュータ１０３、１０５、サーバ１０９、１１５、およびキオスク１２１などのコンピュータとをリンクする、種々のネットワークとゲートウェイとを含む。
【００１７】
顧客コンピュータ１０３と１０５は、家庭のコンピュータまたは職場のコンピュータなど、１人または複数の消費者がアクセスできる任意のコンピュータであってよい。顧客コンピュータ１０３と１０５はまた、インターネット１０１を介して遠隔コンピュータにアクセスするのに適した双方向テレビセットまたは他の構造として実装することができる。双方向テレビ装置は、米国特許第４，８４７，７００号、第５，７２１，５８３号、第５，５５２，７３５号に記述されている。米国特許第４，８４７，７００号、第５，７２１，５８３号、第５，５５２，７３５号およびこれらに引用されているすべての参考文献は、参照により本明細書に組み込まれている。顧客コンピュータ１０３と１０５は、顧客コンピュータ１０３と１０５が買物リストサーバ１０９および／または広告業者のサーバ１１５などの遠隔コンピュータまたはサーバから、インターネット１０１を介してウェブページを検索することを可能にする、任意の適切なウェブブラウザソフトウェアでプログラミングすることができる。ウェブブラウザソフトウェアを使用して、消費者が提供した情報を買物リストサーバ１０９などの遠隔コンピュータに送信することもできる。
【００１８】
顧客コンピュータ１０５と結合された商品スキャナ１０７は、商品の包装上のＵＰＣコードおよびＥＡＮコードなどのバーコードを走査しデコードする種々のバーコード走査装置のうち任意の装置である。基本的な商品スキャナ１０７はデコーダとスキャナからなり、デコーダをコンピュータまたは端末とインタフェースさせるためにケーブルが必要となる場合もある。商品スキャナ１０７の基本的な動作は、バーコードシンボルを走査し、バーコードのバーとスペースに対応する電気出力を提供することである。デコーダはデジタル化されたバーとスペースのパターンをとり、これらを正しいデータにデコードし、データをコンピュータに送信するが、送信はワイヤ式でもワイヤレス式でもよく、すぐに送信してもよいしバッチプロセスで送信してもよい。商品スキャナ１０７は、固定式読取装置または携帯読取装置として実装できる。固定式バーコード読取装置はコンピュータに接続したままで、データが走査されると１度に１つのデータ項目を送信する。固定式バーコード読取装置は、ワンド（ｗａｎｄｓ）電荷結合素子（ＣＣＤ）スキャナおよびレーザスキャナを含む。別法としては、商品スキャナ１０７は遠隔で情報を記憶し、ついで記憶した情報を顧客コンピュータにダウンロードする、携帯バーコード読取装置であってもよい。携帯バーコード読取装置は、顧客コンピュータからバーコード情報を遠隔で記憶するメモリを含むバッテリー駆動装置である。このデータは必要な時には顧客コンピュータ１０３および／または１０５に転送され、データベース、スプレッドシート、または他のデスクトップアプリケーションにインポートすることができる。携帯機器は典型的には、ユーザ命令を表示するＬＣＤディスプレイを含む。例としてのバーコード読取装置は、米国特許第５，９８８，５０７号、第６，０２１，９４６号、および第６，０３２，８６２号に記述され、これらの各々は参照により本明細書に組み込まれている。
【００１９】
買物リストサーバ１０９は、商品識別子、商品、消費者を識別する情報、および過去と現在の買物リストとを含む種々のタイプの情報を受信、記憶、および／または送信するようにプログラミングされたウェブサーバであるが、買物リストサーバ１０９は任意のタイプのコンピュータを使用して実装することができる。広告業者のサーバ１１５は、プロモーションに関する情報を買物リストサーバ１０９および／またはキオスク１２１などの遠隔コンピュータから送受信するようにプログラミングされたウェブサーバであってもよい。本明細書で使用される「プロモーション」という用語は、１つまたは複数の商品および／またはサービスを販売促進する任意のオファー、広告、インセンティブ、クーポン、コマーシャル、または連絡を指す。したがって、「プロモーション」という用語は、ターゲットを絞った購入インセンティブと広告を含む。広告業者サーバ１１５は買物リストサーバ１０９および／またはキオスク１２１と直接通信してもよいし、インターネット１０１を介して通信してもよい。買物リストサーバ１０９と広告業者のサーバ１１５は、ウェブページを遠隔のクライアントまたは、顧客コンピュータ１０３と１０５などのコンピュータに配布するサーバソフトウェアで適切にプログラミングすることができる。
【００２０】
店のデータベース１１１と買物リストデータベース１１３の各々は、１台または複数のハードディスクドライブなどの磁気ディスク、光ディスク、光磁気ディスク、メモリチップ、または他の望ましい記憶装置を含む任意のタイプの記憶装置に接続される任意のタイプのコンピュータを含む任意の望ましい構造を使用して実装できる。買物リストデータベース１１３は、消費者商品を識別し、ＣＩＤを現在の買物リストまたは過去の買物リストと関連づけ、ターゲットを絞った購入インセンティブと広告を配布する情報を含む記録を含んだファイルである。買物リストデータベース１１３の中の記録は、フィールドと、検索、分類（ｓｏｒｔｉｎｇ）、組み換え、および他のデータベース機能の組とを含む。場合によっては、買物データベース１１３は２つまたは２つ以上のデータベースとして実装できる。
【００２１】
店のデータベース１１１は、キオスク１２１において分類された個別の買物リストを生成する情報を含んだ記録を含み、キオスク１２１で消費者にターゲットを絞った購入インセンティブと広告を配布する記録を含むことのできるファイルである。店のデータベース１１１はまた、検索、分類、組み換え、および他のデータベース機能のための動作を含み、場合によっては２つまたは２つ以上のデータベースとして実装してもよい。
【００２２】
小売店１１９は、消費者が小売取引を行う任意の小売店の場所である。店１１９は、１つまたは複数のキオスク１２１を含む。キオスク１２１は顧客と取引を行う任意の小さな構造および／または電子ユニットである。各キオスクは対応するデータ転送ユニット１２３、顧客インタフェース１２５およびプリンタ１２７を含む。キオスク１２１はインターネット１０１と店のデータベース１１１に結合される。小売店１１９は、たとえば、購入取引を行う建物または同様な場所と、購入取引を行う場所と関連づけられた駐車場、歩道、休息所、または他の任意の場所を含む小売店の場所であることを理解されたい。さらに、キオスク１２１は小売商品の購入を行うこの広い場所の任意の場所に設置することができる。本発明の１実施形態によれば、顧客は顧客インタフェース１２５を介してＣＩＤを入力し、プリンタ１２７から印刷された買物リストを受信する。別法としては、次に説明するように、顧客はＣＩＤを入力し、データ転送ユニット１２３を使用して買物リストを携帯機器２０１にダウンロードすることができる。
【００２３】
データ転送ユニット１２３は、ハードワイヤ媒体またはワイヤレス媒体として実装される双方向通信リンク１２９を介して、個別の買物リストに関するデータを携帯機器２０１と交換するために使用される。買物リスト項目および／またはターゲットを絞った購入インセンティブおよび／または広告は、たとえば買物リストサーバ１０９、キオスク１２１および／または携帯機器２０１からコマンドを受信したことに応答して、データ転送ユニット１２３によってアップロードまたはダウンロードされる。データ転送ユニット１２３は、ハードワイヤード媒体を介してデータを送受信するデータポートとして実装してもよいし、または、赤外線送信器と検出装置などのワイヤレストランシーバ、またはブルートゥース無線リンク技術を実装するデバイスとして実装することもできる。ブルートゥースは、移動ＰＣ、移動電話、および他の携帯機器の間の、小さなフォームファクタ、低コスト、短距離無線リンクのための技術仕様である。別法としては、データ転送ユニット１２３は種々の携帯機器との互換性を提供する、双方向データ通信結合１２９を提供する適切なデバイスの任意の組み合わせとして実装できる。１実施形態では、データ転送ユニット１２３は、個別の買物リストとターゲットを絞ったマーケティングに関する種々のタイプの情報を表すデジタルデータストリームを搬送する電気信号、電磁気信号、または光信号を送受信する。
【００２４】
キオスク１２１の顧客インタフェース１２５は、顧客に、情報を手でキオスク１２１に入力する手段を提供し、ユーザが情報を入力するかオプションを選択することを促すディスプレイを含んでいてもよい。たとえば、顧客インタフェース１２５は、顧客が自分のＣＩＤを入力し、画面に表示されたメニューからオプションを選択できるようにするキーパッドを含んでいてもよい。プリンタ１２７は、従来知られている種々の印刷機器のうち任意の印刷機器であり、キオスク１２１または、キオスク１２１に結合された携帯印刷機器と一体であってもよい。
【００２５】
さらに、キオスク１２１は、個別の買物リストを生成することおよび／または顧客インセンティブと広告を顧客に配布することに関連するデータを記憶し処理するメモリとプロセッサを含む、アクティブな装置であることを理解されたい。しかし別法としては、キオスク１２１は、たとえばローカルエリアネットワーク（ＬＡＮ）を介して、小売店と関連づけられているコンピュータ装置に情報を転送し、個別の買物リストを生成することおよび顧客インセンティブおよび／または広告を顧客に配布することに関連するデータを記憶し処理するメモリおよびプロセッサを含むインタフェース装置であってもよい。
【００２６】
当業者であれば、本発明を実装するために使用される特定のハードウェアおよびソフトウェアの多くの変形例が明らかであるので、図１の装置は例示的なものに過ぎないことを理解されたい。たとえば、買物リストサーバ１０９とキオスク１２１の機能は単一のデバイスに組み合わせることができる。これらの変形例および別の変形例を実装するために、図１に示されたデバイスのうち２つまたは２つ以上の特殊目的機能を実行するように単一のコンピュータ（たとえば図１０のコンピュータ装置１００１）をプログラミングしてもよい。また、図１に示されたデバイスのうち任意のデバイスの代わりに、２台または２台以上のプログラミングされたコンピュータを使用してもよい。場合によっては、冗長と複製など分散処理の原理と利点を実装し、たとえばシステムの強固さと性能を増強してもよい。
【００２７】
図２は、本発明の１実施形態によって使用される、例としての携帯機器の構成図である。図２は、Ｐａｌｍ社がＰａｌｍＰｉｌｏｔの商標で販売する携帯コンピュータなどの種々の小画面コンピュータ、または、たとえば米国特許第４，５４５，０２３号、第５，１３３，０７６号、および第５，９００，８７５号のうち任意の特許に記述された携帯コンピュータのうち任意のコンピュータを表すことが意図されている。米国特許第４，５４５，０２３号、第５，１３３，０７６号、および第５，９００，８７５号は、参照により本明細書に組み込まれている。さらに、携帯機器２０１は、デジタル情報をアップロード、ダウンロード、分類、および操作できる携帯端末（ＰＤＡ）、セルラ電話、または任意の他の携帯機器であってもよい。
【００２８】
好ましくは、携帯機器２０１は情報を通信するバス２０３または他の通信機構と、バス２０３と結合されて情報を処理するプロセッサ２０５を含む。携帯機器２０１はまた、バス２０３と結合され、情報と、プロセッサ２０５が実行する命令とを記憶する、ランダムアクセスメモリ（ＲＡＭ）または他のダイナミック記憶装置（たとえばダイナミックＲＡＭ（ＤＲＡＭ）、スタティックＲＡＭ（ＳＲＡＭ）、同期ＤＲＡＭ（ＳＤＲＡＭ）、フラッシュＲＡＭ）などのメモリユニット２０７を含む。さらに、メモリユニット２０７を使用して、プロセッサ２０５が命令を実行している間、一次変数または他の中間情報を記憶してもよい。メモリユニット２０７はさらに、スタティック情報とプロセッサ２０５の命令とを記憶するリードオンリーメモリ（ＲＯＭ）または他のスタティック記憶装置（たとえばプログラマブルＲＯＭ（ＰＲＯＭ）、消去可能ＰＲＯＭ（ＥＰＲＯＭ）および電気消去可能ＰＲＯＭ（ＥＥＰＲＯＭ））とを含んでいてもよい。ＲＯＭは別のメモリユニットとして描かれている。磁気ディスクなどの記憶装置２１１がバス２０３と結合して備えられ、情報と命令とを記憶する。
【００２９】
携帯機器２０１はまた、バス２０３と結合され、携帯装置２０１のユーザに情報を表示する液晶ディスプレイ（ＬＣＤ）などのディスプレイユニット２１３を含む。携帯機器２０１は、情報とコマンドの選択をプロセッサ２０５に通信する、英数字キーパッドおよび／またはカーソル制御などの入力装置２１５を含む。
【００３０】
携帯機器２０１はまた、バス２０３と結合されたインタフェース２１７を含む。インタフェース２１７は、キオスク１２１のデータ転送ユニット１２３または図１０に描かれたコンピュータ装置１００１などのコンピュータ装置に、双方向データ通信結合１２９を提供する。インタフェース２１７は、ワイヤ媒体を介してデータを送受信するデータポートであってもよい。別法としては、インタフェース２１７は、ブルートゥース短距離無線リンク技術を実装する装置である赤外線送信器および検出器などのワイヤレストランシーバか、または、種々のキオスクと互換性のある双方向データ通信結合１２９を提供する装置の任意の組み合わせである。インタフェース２１７は、種々のタイプの情報を表すデジタルデータストリームを搬送する電気信号、電磁気信号、または光信号を送受信するためのものである。
【００３１】
図３は、本発明の１実施形態により小売店内で個別の買物リストと共に、ターゲットを絞った購入インセンティブおよび／または広告を顧客に配布する、コンピュータを使用した装置を示す。図３の装置は、ホストコンピュータ３０１、グローバル購入データベース３０３、小売店コンピュータ３０７、および買物リストサーバ１０９と共に使用するローカル購入データベース３０９、店のデータベース１１１、携帯機器２０１、および、１つまたは複数のキオスク１２１を含み、これらは図１に示された各小売店１１９内にある。
【００３２】
ホストコンピュータ３０１は、小売店コンピュータ３０７と通信し、グローバル購入データベース３０３に情報を記憶しここから情報を検索する、任意の適切なワークステーション、サーバ、または他の装置である。ホストコンピュータ３０１はまた、１実施形態によって小売店１１９の中の顧客に送信する購入インセンティブと広告とを決定する。ホストコンピュータ３０１は、好ましくは、インターネット１０１を介するか、または直接に、買物リストサーバ１０９と広告業者のサーバ１１５と通信して、本発明に従ってターゲットを絞った購入インセンティブおよび／または広告を提供する。買物リストサーバ１０９とホストコンピュータ３０１の機能は、たとえば、図１０のコンピュータ装置１００１などの単一の汎用コンピュータが実行してもよいことを理解されたい。さらに、ホストコンピュータ３０１は、任意の適切なプロトコルを使用して小売店コンピュータ３０７と通信し、たとえば、図１０のコンピュータ装置１００１を使用して実装することができる。
【００３３】
グローバル購入データベース３０３は、本発明により、個別の買物リストと共に、ターゲットを絞った購入インセンティブと広告とを提供する情報を含む記録を含んだファイルである。この情報は、小売店１１９および、買物リストサーバ１０９および／またはホストコンピュータ３０１と関連づけられた任意の他の小売店で顧客が行った各購入の情報を含む。このような情報は、たとえば、最小在庫管理単位（ＳＫＵ）、ブランド、サイズ、重さ、価格、購入の日時、購入を行った顧客の顧客識別子（ＣＩＤ）とを含んでいてもよいが、含まれる項目はこれらに限定されるものではない。この情報の一部は、顧客取引の間に小売店１１９のチェックアウトカウンタで走査端末が走査する、購入商品上のバーコードから得られる。グローバル購入データベース３０３の中の記録は、フィールドと、検索、分類、組み換え、および他のデータベース機能の動作の組とを含む。場合によっては、グローバル購入データベース３０３は２つまたは２つ以上のデータベースとして実装できる。米国特許第５，８３２，４５７号、第５，６４９，１１４号、第５，４３０，６４４号、および第５，５９２，５６０号のうち１つまたは複数は、顧客の購入履歴情報を収集し、収集した情報を、たとえばグローバル購入データベース３０３とローカル購入データベース３０９などのデータベース内に記憶する技術を記述している。米国特許第５，８３２，４５７号、第５，６４９，１４４号、第５，４３０，６４４号、および第５，５９２，５６０号は、参照により本明細書に組み込まれている。さらに、顧客の購入情報を収集し、収集した情報を、グローバル購入データベース３０３と店のデータベース３１３などのデータベース内に記憶する技術は、カタリナマーケティングおよび／またはカタリナマーケティングインターナショナルが所有する他の特許にも記述されている。カタリナマーケティングおよび／またはカタリナマーケティングインターナショナルが所有する各特許は、参照により本明細書に組み込まれている。
【００３４】
小売店コンピュータ３０７は、たとえば、図１０のコンピュータ装置１００１、または任意の他の適切なＰＣ、ワークステーション、サーバ、または装置で実装でき、ホストコンピュータ３０１と通信し、情報をローカル購入データベース３０９および／または店のデータベース１１１に記憶してここから検索し、買物リストサーバ１０９とキオスク１２１の間で送信されるデータを監視する。１実施形態によれば、小売店コンピュータ３０７は、購入インセンティブおよび／または広告を決定し、個別の買物リストと共にキオスク１２１に送信する。
【００３５】
ローカル購入データベース３０９は、本発明により購入インセンティブと広告を提供する情報を含む記録を含んだファイルである。ローカル購入データベース３０９の中の記録は、バーコードを小売店３０５の中の商品と関連づけるフィールドと（たとえばＵＰＣコード、ＪＡＮコード、および／またはＥＡＮコードを使用する）、顧客識別子を購入インセンティブと関連づけるフィールドとを含む。ローカル購入データベース３０９はまた、検索、分類、組み換え、および他のデータベース機能のための動作も含む。場合によっては、ローカル購入データベース３０９は２つまたは２つ以上のデータベースとして実装してもよい。ローカル購入データベース３０９に記憶された販売取引情報は、定期的に（たとえば毎日）小売店コンピュータ３０７によって検索され、ホストコンピュータ３０１に送信され、ホストコンピュータ３０１はこの情報を使用してグローバル購入データベース３０３に記憶された購入履歴情報を更新する。
【００３６】
上記のように、小売店１１９は１つまたは複数のキオスク１２１を含む。各キオスク１２１は好ましくは、対応するプリンタ１２７、顧客インタフェース１２５、およびデータ転送ユニット１２３を含む。データ転送ユニット１２３は小売店コンピュータ３０７と結合され、携帯機器２０１との双方向データ通信結合１２９を提供する。個別の買物リストに関連する情報は、小売店コンピュータ３０７によって買物リストサーバ１０９とキオスク１２１の間で交換されるので、小売店コンピュータはこの情報を監視することができる。小売店１１９の中に多数のキオスクがある場合、各キオスク１２１は好ましくはホストコンピュータ３０１および／または買物リストサーバ１０９とループ状に構成される。小売店コンピュータ３０７はループ状でホストコンピュータ３０１および／または買物リストサーバの前に配置されるので、キオスクから買物リストサーバ１０９に送信される情報は小売店コンピュータ３０７が監視できる。ターゲットを絞った購入インセンティブおよび／または広告が個別の買物リストと共に配布される実施形態では、店のデータベース１１１は小売店コンピュータ３０７を使用してキオスク１２１に接続することができる。別法としては、店のデータベース１１１は図１に示したようにキオスク１２１に直接接続してもよい。
【００３７】
当業者であれば、本発明を実装するために使用される特定のハードウェアとソフトウェアの多くの変形例が明らかであるため、図１の装置と同様に図３の装置も例示的なものに過ぎないことを理解されたい。たとえば、小売店コンピュータ１０７とキオスク１２１の機能は、単一の装置に組み合わせることができる。これらの変形例および他の変形例を実装するために、図３に示された装置のうち２台または２台以上の特殊機能を実行するように、単一のコンピュータ（たとえば図１０のコンピュータ装置１００１）をプログラミングしてもよい。他方、図３に示された装置のうち任意の装置を、２台または２台以上のプログラミングされたコンピュータと交換してもよい。場合によっては、冗長性と複製など、分散処理の原理と利点を実装して、たとえば装置の強固さと性能を増強してもよい。
【００３８】
本発明は、たとえば、消費者識別、商品識別子、消費者商品、広告、および広告インセンティブに関連する情報を記憶する。この情報はたとえば、ハードディスク、光ディスク、光磁気ディスク、および／またはＲＡＭなどの１つまたは複数のメモリに記憶される。本発明を実装するために使用する情報は、買物リストデータベース１１３と店のデータベース１１１などの１つまたは複数のデータベースに記憶される。データベースは、たとえば、上記のメモリや図１０の説明で次にリストされる記憶装置のうち任意の記憶装置など、１つまたは複数のメモリ内に含まれるデータ構造（たとえば記録、表、列、フィールド、グラフ、ツリー、および／またはリスト）を使用して構成される。
【００３９】
図４Ａから図４Ｆは、本発明の１実施形態により、個別の買物リストを生成し、買物リストと共にターゲットの購入インセンティブおよび／または広告を配布するシステムを実装するために使用されるデータ構造を描く。データ構造は、表を使用するリレーショナルフォーマットで描かれており、表の１つの列（すなわちフィールド）に記憶された情報は、表の別の列（複数可）に渡って同じ行（すなわち記録）に記憶された情報にマッピングまたはリンクされる。これらのデータ構造は買物リストサーバ１０９、広告業者のサーバ１１５、携帯機器２０１、ホストコンピュータ３０１、小売店コンピュータ３０７、および／または小売店のキオスク１２１が使用して、本発明による個別の買物リストを生成し、買物リストと共に購入インセンティブと広告を配布する。
【００４０】
図４Ａは、商品識別子を記憶するフィールド４０３と、フィールド４０３の中の商品識別子と関連づけられた商品名を記憶するフィールド４０５とを含む商品識別子表４０１である。各小売商品は、商品パッケージバーコードなどの一意的な商品識別子を有する。商品識別子表４０１の使用を説明するために、図４Ａは３つの例示的な項目を含む。図４Ａの最初の項目は、フィールド４０３が商品識別子として番号「１２３４５」を含み、同じ記録の中で、フィールド４０５が対応する小売商品として項目「ＸＹＺ冷凍にんじん」を含むことを示す。小売店表４０１はまた、商品識別子「８７６５」と「ｘ２３ｙ８６」と、対応する項目（すなわち同じ記録の中の項目）「ボーンレスポークチョップ」および「ブランドＡのチェダーチーズ」をそれぞれ、フィールド４０５の中に含む。表４０１はまた、フィールド４０３の中の商品識別子と関連づけられた商品の説明または任意の他の情報を含んでいてもよい。こうして、小売店表４０１は、各商品識別子を、特定の商品とその商品特有の他の任意の情報とに関連づける。商品識別子表４０１は、好ましくは、買物リストデータベース１１３に記憶されるが、店のデータベース１１１とローカル購入データベースの中に記憶してもよい。
【００４１】
図４Ｂは、ＣＩＤを記憶するフィールド４０９と、ＣＩＤに関連する現在の買物リスト項目を記憶するフィールド４１１とを含む買物リスト表４０７である。買物リスト表４０７は、多くの異なる顧客のＣＩＤと、各ＣＩＤに関連づけられた買物リストとを記憶する。表４０７の中の買物リスト項目は、商品名の形態でもよいし、または商品識別子の形態でもよい。したがって、図４Ｂの例示的な項目に見られるように、表４０７の第１の項目は、消費者の買物リストを構成するブランドＡのチェダーチーズとＸＹＺの冷凍にんじんおよび他の商品を顧客識別子０７１８７０と関連づける。表４０７の第２の項目は、ＡＢＣコーラ、ボーンレスポークチョップを含む買物リスト、および、図４Ａに示されている「ＸＹＺの冷凍にんじん」に対応する商品識別子１２３４５を、ＣＩＤ０９０２６９を有する異なる顧客に関連づける。買物リスト項目表４０７は、買物リストデータベース１１３、ローカル購入データベース３０９および／または店のデータベース１１１の中に記憶することができる。
【００４２】
顧客が買物リストを生成し印刷すると、図４Ｃに見られるように、リストはついで、ＣＩＤのフィールド４１０と、ＣＩＤと関連づけられた過去の買物リストのフィールド４１２とを含む買物リスト履歴表４０８の中にアーカイブすることができる。過去の買物リストは、リストが印刷または生成された日として記憶することができる。したがって、買物リスト履歴表４０８は、ＣＩＤを、ＣＩＤと関連づけられた消費者の１つまたは複数の買物リストと関連づける。過去の買物リストと関連づけられた顧客がリストを要求すると、買物リストサーバ１０９は日付をリスト内の商品のグループと関連づける。買物リスト履歴表４６８は、好ましくは、買物リストデータベース１１３の中に記憶される。
【００４３】
図４Ｄは、商品識別子を記憶するフィールド４１５と、商品カテゴリを記憶するフィールド４１７と、小売店１１９の中の商品の場所を記憶するフィールド４１９とを含む商品分類表４１３である。上記のように、フィールド４１５の中の商品識別子は、商品を識別するバーコードまたは他の情報であってもよい。買物リストサーバ１０９が買物リスト項目の商品識別子をキオスク１２１に送信すると、キオスク１２１は分類された個別の買物リストを顧客の利便のために配布する。たとえば、図４Ｄは、図４Ａに見られるように冷凍にんじんに対応する商品識別子１２３４５を、通路１２にある冷凍食品として示している。同様に、肉カウンターにある肉と、通路１３にある冷凍食品は、それぞれ商品識別子８７６５とＦＦ２０８１に対応する。このようにして、消費者の買物リストが項目１２３４５、８７６５、およびＦＦ２０８１を含み、消費者がリストを商品カテゴリで分類することを要求する場合、１２３４５に対応する商品とＦＦ２０８１に対応する商品は、冷凍食品という同じカテゴリなので、消費者に配布される買物リストではこれらの商品はグループになっている。好ましい実施形態では、フィールド４１７と４１９に記憶される分類基準はそれぞれ、商品カテゴリと商品の位置であるが、商品の項目は顧客に利便性を提供する任意の方法でグループ化できることを理解されたい。たとえば、商品は顧客によってあらかじめ決められた基準に基づいて価格または優先順位の点からリストしてもよい。商品分類表は、好ましくは、店のデータベース１１１に記憶されるか、または、小売店１１９に関連づけられた同様な記憶スペースに記憶される。
【００４４】
図４Ｅは、ＣＩＤを記憶するフィールド４２３と、ＣＩＤと関連づけられた既定の購入インセンティブおよび／または広告を記憶するフィールド４２５とを含む既定の購入インセンティブ／広告表４２１である。既定の購入インセンティブ広告表４２１は、多くの異なる顧客のＣＩＤと、各ＣＩＤに関連づけられた購入インセンティブおよび／または広告とを記憶する。したがって、図４Ｅの例としての項目に見られるように、表４２１の第１の項目は、既定の購入インセンティブを図４Ａで示された０７１８７０というＣＩＤと関連づけ、表４２１の第２の項目は既定の広告を、ＭＭＭ７６５というＣＩＤを有する異なる顧客に関連づける。フィールド４２５の中の既定の購入インセンティブと広告は、たとえば、購入の場所、購入した商品の詳細、購入した各商品の価格、取引の日時、および顧客の取引の任意の望ましい他の情報など、購入データの分析によって得られた、顧客の購入履歴に基づいて決定することができる。
【００４５】
図４Ｆは、トリガ項目を記憶するフィールド４２９と、購入インセンティブおよび／または広告を記憶するフィールド４３１を含む、トリガ項目表４２７である。フィールド４２９の中のトリガ項目は、バーコードまたは他の商品識別子である。商品識別子が消費者買物リストの一部として買物リストサーバ１０９からキオスク１２１に送信されると、小売店コンピュータ３０７が買物リストの商品識別子を監視する。監視された商品識別子がフィールド４２９の中のトリガ項目の商品識別子と一致する場合、フィールド４３１の中の対応する購入インセンティブ（複数可）および／または広告は、キオスク１２１において個別の買物リストと共に顧客に配布される。したがって、トリガ項目表４２７はトリガ項目を、フィールド４２９の中のトリガ項目のうち１つまた複数を含む商品を買物リストの中に有する顧客に配布する購入インセンティブおよび広告と関連づける。
【００４６】
好ましい実施形態では、フィールド４３１に記憶された購入インセンティブと広告は、フィールド４２９に記憶された購入トリガ項目を補完する商品か、または競合する商品か、またはなんらかの方法で関連する商品に関する。図４Ｆの第１の項目は、トリガ商品と競合する商品の購入インセンティブの例を示す。この例では、フィールド４２９の「ブランドＡのコーラ」は、ブランドＡのコーラと競合しているブランドＢのコーラに対する、フィールド４３１の「ブランドＢのコーラの５０セント割引」という購入インセンティブのトリガを提供する買物リスト項目である。同様に、フィールド４２９の中の「ブランドＴのお茶」というトリガ項目は、通常お茶に入れる甘味料というお茶の補助商品である、フィールド４３１の「ブランドＸの甘味料」の広告をトリガする。従って顧客の買物リストがブランドＡのコーラとブランドＴのお茶の両方を含んでいる場合、これらの項目の商品識別子はキオスク１２１に配布され、ブランドＢの５０セント割引という購入インセンティブとブランドＸの甘味料の広告が買物リストと共にキオスク１２１に配布される。ＣＩＤと、フィールド４２３と４２９の中のトリガ項目とに応答して、フィールド４２５と４３１の中の購入インセンティブと広告をそれぞれ提供する方法は、次にさらに説明する。
【００４７】
本発明が具体化するデータ構造は、上記のように図４Ａから図４Ｆに示されたデータ構造を含む。別法としては、本発明が具体化するデータ構造を実装する任意の他の望ましい方法も同等に実装でき、望ましい機能と対応する実際の用途が達成される。
【００４８】
本発明の１実施形態によれば、たとえば、消費者はデスクトップコンピュータを使用して個別の買物リストを生成し、小売店１１９の中のキオスク１２１において買物リストの印刷されたコピーを受け取る。図５は、本発明の１実施形態による、印刷された個別の買物リストを生成するプロセスを説明するフローチャートである。ステップ５０１では、消費者はＣＩＤと買物リスト項目を、典型的には消費者の家にある顧客コンピュータ１０３または１０５に入力する。ＣＩＤは、バーコードの形態で顧客のＣＩＤが印刷されたカードまたは他の媒体を走査するか、または、顧客のコンピュータに接続された磁気カードリーダに磁気識別カードを通すことによって、手動で入力することができる。同様に、買物リスト項目の商品識別子は、顧客のコンピュータに手で入力してもよいし、または、商品スキャナ１０７を使用して入力してもよい。好ましくは、個別の買物リストを生成する消費者は顧客コンピュータ１０５に接続された商品スキャナ１０７を使用して、まず、消費者のＣＩＤカードのバーコードを走査し、ついで、買物リスト商品のＵＰＣバーコードなど、パッケージのバーコードを走査する。
【００４９】
ステップ５０３では、たとえばデスクトップコンピュータ１０５から買物リストサーバ１０９にアクセスする。これは、顧客のコンピュータ１０５のウェブブラウザを使用して買物リストサーバ１０９のＵＲＬにアクセスすることによって行われる。買物リストサーバ１０９がアクセスされると、ステップ５０５では買物リスト項目と関連づけられたＣＩＤと商品識別子は、インターネット１０１を介して電子的に買物リストサーバ１０９に送信される。電子送信は、商品名がデスクトップコンピュータ１０３に入力された時に行ってもよいし、デスクトップコンピュータ１０３にいくつかの商品名が記憶されてからまとめて行ってもよい。さらに、消費者は買物リスト項目を顧客のコンピュータ１０５に保存せずに、まず買物リストサーバ１０９にアクセスし、ついで、消費者のＣＩＤと買物リスト項目を買物リストサーバ１０９に直接入力することもできる。
【００５０】
ＣＩＤと商品識別子が買物リストサーバ１０９に送信されると、買物リストサーバ１０９はＣＩＤと関連づけられた個別の買物リストを作成し、このリストを買物リストデータベース１１３に記憶する。買物リストサーバ１０９は買物リストを、ＣＩＤと関連づけられたＵＰＣバーコードなどの商品識別子のリストとして記憶してもよいし、または、好ましくは、消費者が理解可能な商品名のリストとして記憶してもよい。後者の場合、買物リストデータベース１１３は、消費者が走査した商品識別子と対応する商品とを関連づける商品識別子表４０１を含む。したがって、商品識別子とＣＩＤが買物リストサーバ１０９に送信されると、図４Ｂの買物リスト表４０７にデータが入り、買物リストデータベース１１３または任意の他の適切な記憶スペースに記憶される。
【００５１】
顧客は、買物リストを修正してから小売店でリストを使用することができる。決定ブロック５０７に示されるように、顧客が買物リストに追加したい場合、商品が走査されるとステップ５０１から５０５が繰り返され、電子的に送信され、買物リストデータベース１１３に記憶される。この買物リストを修正するプロセスはまた、個別の買物リストから商品を削除するコンピュータコマンドを含んでいてもよい。さらに代替の実施形態では、消費者は新しい現在の買物リストを生成するのではなく、過去の買物リストを呼び戻して呼び戻したリストを修正し、現在の買物リストを生成することもできる。消費者がステップ５０３で買物リストサーバにアクセスし、消費者のＣＩＤを買物リストサーバ１０９に電子的に送信し、買物リストサーバ１０９はついで買物リストデータベース１１３から過去の買物リスト履歴表４０８にアクセスして、消費者が、自分の過去の買物リストのうち１つを検索し、修正して現在の買物リストを作成することができるようにしてもよい。
【００５２】
顧客が買物リストサーバ１０９に特定の買物に関するすべての商品名を入力すると、顧客はステップ５０９にみられるように、特定の小売店１１９にあるキオスク１２１で自分のＣＩＤを入力する。ＣＩＤはたとえば、磁気カードを通すか、ＩＤカードを走査するか、または、キオスク１２１の顧客インタフェース１２５の数字キーパッドでＣＩＤを手で入力することによって、入力できる。このステップでは、顧客は次に説明するように、買物リストに関する望ましい分類基準をキオスク１２１に入力することもできる。別法としては、分類基準をＣＩＤと関連づけ、ＣＩＤと商品識別子と共に、上記のステップ５０５で送信してもよい。ついでキオスク１２１は上記と同じ方法でインターネット１０１を介して買物リストサーバ１０９にアクセスし、入力されたＣＩＤはインターネット１０１上で買物リストサーバ１０９に送信される。買物リストサーバ１０９はついで、買物リストデータベース１１３に記憶された買物リスト表３０７を参照し、ステップ５０９で入力されたＣＩＤと関連づけられた商品識別子を検索する。ＣＩＤと関連づけられた買物リストはついで、ステップ５１３に示されるようにインターネット１０１を介してキオスク１２１に電子的に送信される。買物リストは商品のリストとして送信することもできるが、この場合、買物リストサーバ１０９は、買物リストデータベース１１３に記憶された商品識別子表４０１を使用してリストの任意のバーコードを商品名に変換する。別法としては、この変換はリストを電子送信した後に、キオスク１２１またはキオスク１２１と関連づけられたコンピュータで行われる。
【００５３】
商品識別子がキオスク１２１に送信されると、ステップ５０９でキオスクは入力されたＣＩＤと関連づけられた顧客が、決定５１５に示されるような分類基準を入力したかどうかを決定する。分類基準が入力されている場合、キオスク１２１はステップ５１７と図７に詳細に示されるように、入力された基準に従って買物リストを印刷する。分類基準が入力されていない場合、ステップ５１９に見られるように、リストはランダムに印刷されるかまたは既定の順序で印刷される。この方法で、顧客は自分が買物をする直前に、小売店のキオスク１２１において印刷された個別の買物リストを得る。
【００５４】
他の実施形態によれば、顧客は過去の買物リストの印刷されたコピーを受け取る。この実施形態によれば、顧客は自分のＣＩＤと、場合によっては分類基準を小売店キオスク１２１に入力する。キオスク１２１はついで、買物リストデータベース、店のデータベース、または他の適切なデータベースに記憶された買物リスト履歴表４０８にアクセスし、顧客に、入力されたＣＩＤと関連づけられた過去の買物リストを提供する。このような方法で、現在の買物リストを生成する時間がなかった顧客は過去の買物リストを得て、現在の買物で買う必要のある項目を思い出す助けとすることができる。
【００５５】
本発明のさらに別の実施形態によれば、図６のフローチャートに示されるように、携帯機器２０１を使用して買物リストを生成し検索することができる。この実施形態によれば、ステップ６０１でのように消費者は自分の顧客識別子と商品識別子を携帯機器２０１に入力する。入力は手で行ってもよいし、携帯機器２０１がバーコードスキャナを備えている場合は商品識別子を走査して入力してもよい。さらに、携帯機器のユーザは商品識別子とＣＩＤを入力する時に携帯機器に分類基準を入力することもできる。ＣＩＤと商品識別子は、入力されると、携帯機器２０１のインタフェース２１７とバス２０３を介して、メモリユニット２０７および／または記憶装置２１１の中に記憶される。このように、携帯機器２０１は携帯機器２０１へのユーザの入力データが入っている買物リスト表４０７を記憶する。携帯機器２０１のメモリ内に記憶された買物リスト表４０７は、好ましくは、商品のリストを含み（すなわち商品の説明）、消費者は携帯機器２０１で買物リストを確認する時に商品を容易に識別することができる。したがって、携帯機器２０１は買物リストデータベース１１３などの外部の記憶スペースにある商品識別子表４０１にアクセスし、走査して、携帯機器２０１に入力されたバーコードなどの商品識別子を商品名に変換することができる。別法としては、商品識別子表４０１はメモリユニット２０７または記憶装置２１１に記憶してもよい。さらに別法としては、次に説明するように、買物リスト項目は携帯機器がキオスク１２１とインタフェースするまで、携帯機器２０１に記憶されたバーコードのままでもよい。
【００５６】
商品識別子と分類基準を携帯機器２０１に記憶すると、顧客は携帯機器２０１のディスプレイ２１３で買物リストを見ることができる。商品識別子は、ディスプレイ２１３で個別に見ることもできるし、または携帯機器２０１のユーザがいくつかの商品識別子を一度に見ることができるように、たとえば図４Ｂに見られるような表のフォーマットで見ることもできる。携帯機器２０１のユーザは携帯機器２０１の入力装置２１５を使用してバス２０３を介してコマンドの選択をプロセッサ２０５に通信し、携帯機器２０１のメモリに記憶された買物リスト項目を選択、削除、グループ分け、および他の方法で修正することができる。たとえば携帯機器２０１を使用する顧客は、すべての買物リスト項目を見て、削除したい項目をグループとして分け、残りの項目を保持することができる。さらに、顧客が買物リストに追加したい場合、顧客はステップ６０１に戻って、決定ブロック６０３に示されるようにリストに追加される項目の商品識別子をさらに入力することができる。
【００５７】
顧客が特定の買物に関するすべての商品識別子を携帯機器２０１に入力すると、ステップ６０５で示されるように、顧客は携帯機器２０１を小売店１１９のキオスク１２１とインタフェースさせる。インタフェースステップは、携帯機器をキオスク１２１と物理的に接続することであってもよいし、携帯機器２０１とキオスク１２１の間をワイヤレスリンクで接続することであってもよい。携帯機器２０１がキオスク１２１とインタフェースすると、ステップ６０７に示されるように、携帯機器２０１はＣＩＤと買物リスト項目を携帯機器からキオスク１２１に電子的に送信する。またこのステップの時に顧客から要求がある場合、キオスク１２１は分類基準も受信する。好ましい実施形態では、図６に示されるように、分類基準が携帯機器に入力され、ＣＩＤと買物リスト項目と共にキオスク１２１に送信される。別法としては、キオスク１２１と物理的な接続が行われると、ユーザはたとえばメニューから選択して、分類基準をキオスク１２１に手で入力することができる。同様に、顧客のＣＩＤと他の任意の情報は、携帯機器２０１をキオスク１２１とインタフェースした時に、キオスク１２１において手動で入力することができる。
【００５８】
キオスク１２１がＣＩＤと商品識別子を受信すると、ステップ６０９でインターネット１０１を介して買物リストサーバがアクセスされ、ステップ６１１でのように商品識別子に関連づけられた商品名がキオスク１２１に電子的に送信される。このステップの間、図４Ａに関して論じられたように、バーコードとして携帯機器２０１に記憶された任意の商品識別子は、商品識別子表４０１にアクセスする買物リストサーバ１０９によって、消費者が理解可能な商品名に変換される。
【００５９】
ついでステップ６１５で見られるように、キオスク１２１は買物リストを分類基準に従ってグループ分けし、ステップ６１７で示されるように、入力された基準に従って個別の買物リストを消費者に電子的に配布する。この方法で、顧客は顧客の便利のために分類基準に従ってグループ分けされた個別の買物リストを得る。好ましい実施形態では、ステップ６０５から６１７は、消費者がキオスク１２１から既定の距離の中に入ると自動的に実行される。すなわち、消費者は携帯機器２０１を持って小売店１１９に入り、携帯機器はキオスク１２１と自動的にインタフェースして、携帯機器２０１に記憶されたＣＩＤと商品識別子と分類基準とをキオスク１２１に電子的に送信し、キオスク１２１は商品が分類されている個別の買物リストを自動的に送信して携帯機器２０１に戻す。
【００６０】
図７は、個別の買物リストを生成する消費者が選択した分類基準に従って商品識別子を分類するプロセスを示すフローチャートである。買物リストを分類するために必要な情報は各小売店に特定であるので、好ましい実施形態では、この機能は小売店１１９で実行される。図５のステップ５１７と図６のステップ６１５にそれぞれ示されたように分類基準に従って商品をグループ分けする時に、図５と図６に関して論じたように、キオスク１２１はまず消費者が手動または電気的な入力でキオスク１２１に入力した分類基準を決定する。ステップ７０３では、キオスク１２１は店のデータベース１１１から分類表４１３にアクセスする。ついでステップ７０５に示されるように、現在の買物リスト表４０７の中の商品識別子は各々、分類基準表４１３の商品識別子と照合され、キオスク１２１は選択された分類基準の対応する分類データを集める。キオスク１２１に入力されたＣＩＤと関連づけられた買物リストの各商品に関して分類データが得られると、キオスク１２１はリストで同じ分類データを有する商品をグループとしてまとめて、図５のステップ５１９と図６のステップ６１７に示されるように、データをプリンタまたは携帯機器に送信する。このように、キオスク１２１は消費者が要求する分類基準に従って分類された個別の買物リストを提供する。
【００６１】
個別の買物リストを提供することに加えて、ターゲットを絞った購入インセンティブと広告をリストと共にキオスク１２１から消費者に配布することができる。すなわち、本発明の１実施形態では、消費者の買物の直前に小売店１１９の中でその消費者に、ターゲットを絞った購入インセンティブと広告とを配布する。実際の購入インセンティブと広告は、好ましくは、広告業者サーバ１１５から買物リストサーバ１０９および／またはホストコンピュータ３０１に提供され、消費者に配布される。
【００６２】
図８は、本発明の１実施形態により、個別の買物リストと共に購入インセンティブと広告とを顧客に配布するプロセスを説明するフローチャートである。図３を参照すると、ステップ８０１では、小売店コンピュータ３０７は小売店１１９のキオスク１２１で顧客の取引を監視する。図５と図６に論じられているように、取引の間、顧客はＣＩＤを入力し、印刷された個別の買物リストを受信するか、買物リストを携帯機器２０１にダウンロードする。小売店コンピュータ３０７はキオスク１２１と買物リストサーバ１０９の間の通信を監視し、ＣＩＤと、ＣＩＤに関連づけられた顧客の買物リストの各商品識別子とを通知される。ついでステップ８０３で、消費者に配布すべき購入インセンティブと広告がキオスク１２１で決定される。このステップは小売店コンピュータ３０７、ホストコンピュータ３０１、および／または買物リストサーバ１０９が実行できる。購入インセンティブと広告は、顧客の購入履歴および／または顧客の買物リストの項目に基づいて決定されるが、これについては後述する。ステップ８０５では、購入インセンティブおよび／または広告が顧客に配布され、プリンタ１１７で印刷されるか、またはキオスク１２１においてデータ転送ユニット１２３を介してダウンロードされる。
【００６３】
１実施形態では、キオスク１２１で顧客に配布する購入インセンティブと広告とを決定する図８のステップ８０３は、顧客の購入履歴に基づいて得られた、既定の購入インセンティブと広告に従って行われる。この実施形態では、ホストコンピュータ３０１は小売店１１９の各々にある小売店コンピュータ３０７に購入履歴情報をポーリングして、グローバル購入データベース３０３に記憶された購入履歴情報を更新する。ホストコンピュータ３０１は、グローバル購入データベース３０３に記憶された購入履歴情報から行動情報を生成する。この行動情報は、ターゲットを絞った購入インセンティブを顧客に配布すべきかどうかを決定するために市場調査員（サーベイヤ）が使用したい任意の情報であってよい。行動情報の例は、顧客が去年１か月あたり少なくとも５ポンドのドッグフードを購入したかどうか、顧客が先週風邪薬を購入したかどうか、および顧客がいつもラクトース抜きの牛乳を買うかどうかなどである。
【００６４】
ホストコンピュータ３０１は、生成された行動情報を、グローバル購入データベース３０３に記憶され、特定の購入インセンティブおよび／または広告と関連づけられた購入基準と比較する。任意の顧客の行動情報が購入基準を満たす場合、その顧客のＣＩＤがフィールド４２３に記憶され、対応する購入インセンティブおよび／または広告が既定の購入インセンティブ／広告表４２１のフィールド４２５に記憶される。この方法で、既定の購入インセンティブ／広告表４２１に、ＣＩＤと、対応する顧客に配布する関連づけられた購入インセンティブのデータとが入る。
【００６５】
ホストコンピュータ３０１は、既定の購入インセンティブ／広告表４２１を小売店１１９に配布する。場合によっては、表４２１は小売店１１９ごとに、別々の既定の購入インセンティブ／広告表に分割される。場合によっては、対応する小売店１１９に頻繁に行く顧客のＣＩＤだけを各小売店１１９に提供し、記憶と送信の制約の影響を低減する。既定の購入インセンティブ／広告表４２１は小売店１１９において小売店コンピュータ３０７が受信し、ローカル購入データベース３０９および／または店のデータベース１１１に記憶する。
【００６６】
顧客が小売店１１９で買物リストを印刷すると、顧客ＣＩＤは小売店コンピュータ３０７および／またはホストコンピュータ３０１を介してキオスク１２１から買物リストサーバに送信される。小売店コンピュータはＣＩＤを決定し、ＣＩＤを使用して、既定の購入インセンティブ／広告表４２１のフィールド４２３の中に同じＣＩＤが存在するかどうかを決定する。ＣＩＤがフィールド４２３にある場合、フィールド４２５の中の対応する既定の購入インセンティブ（複数可）と広告（複数可）はキオスク１２１に配布される。既定の購入インセンティブと広告は、プリンタ１２７で印刷された買物リストと共に印刷してもよいし、または、通信結合１２９上で携帯機器２０１のインタフェース２１７に送信してもよい。携帯機器２０１の場合、既定の購入インセンティブと広告はバス２０３を介して携帯機器２０１のメモリユニット２０７の中に転送され、図６に関して論じたように、メモリユニット２０７で検討し修正することができる。この方法で、ＣＩＤをキオスク１２１で入力した顧客をターゲットとした購入インセンティブと広告は、買物の直前にキオスク１２１でその顧客に配布される。
【００６７】
別の実施形態では、顧客の携帯機器２０１に配布する購入インセンティブを決定する図８のステップ８０３は、顧客が生成した買物リストのトリガ項目に従って行われる。この実施形態では、小売店コンピュータ３０７は、ローカル購入データベース３０９に記憶されているトリガ項目、購入インセンティブおよび広告を受信する。トリガ項目と購入インセンティブは、ホストコンピュータ３０１または買物リストサーバ１０９からダウンロードしてもよいし、手で入力してもよいし、または、任意の適切な他の手段で小売店コンピュータ３０７に転送してもよい（たとえばフロッピー（登録商標）ディスクによるか、または別のコンピュータとの接続を介する）。トリガ項目、購入インセンティブと広告は、購入トリガ表４２７のフィールド４２９と４３１にそれぞれ記憶される。トリガ項目は現在の買物リストの情報に対応する。たとえば、トリガ項目は、対応する購入インセンティブおよび／または広告４３１と関連づけられたバーコード情報またはＵＰＣ情報であってもよい。したがって、各購入トリガは１つまたは複数の商品を識別することができる。
【００６８】
上記のように、小売店コンピュータ３０７はキオスク１２１における消費者の取引の情報を監視する。小売店コンピュータ３０７は、現在の買物リストの商品識別情報と、フィールド４２９に記憶されたトリガ項目とを比較する。フィールド４２９の中のトリガ項目のうち任意の項目と、小売店コンピュータ３０７が監視する現在の買物リストの情報に一致がある場合（たとえば、トリガ項目で識別された商品が買物リストにもある場合）、小売店コンピュータ３０７はフィールド４３１の中で対応する購入インセンティブおよび／または広告をキオスク１２１に電子的に送信し、購入インセンティブまたは広告はキオスク１２１で印刷されるか携帯機器２０１に配布される。この方法で、現在の買物リストのトリガ項目に対応する購入インセンティブがキオスク１２１で顧客に配布される。
【００６９】
図９Ａと図９Ｂは、消費者に配布される購入インセンティブの例である。これらの図に示されるように、各購入インセンティブは顧客が受信する報酬を含んでいるが、報酬を受け取るために顧客が満足させなければならない忠実性の条件は含んでいても含まなくてもよい。忠実性の条件は、報酬を受けるためにしなくてはならないことを示す。報酬は、小切手、クーポン、割引、証明書、引換可能媒体、および／または、条件を満たす人に与えられるその他の積極的な利益であってよい。たとえば、図９Ａの購入インセンティブ９０１は報酬９０３（ブランドＢのコーラに５０セントの割引）を含むが、これに関連づけられた忠実性の条件は有していない。購入インセンティブを受け入れて小売店１１９でブランドＢのコーラを買う顧客は、それ以上なにもしなくても５０セントの割引を受ける。図９Ｂは、報酬９０７と忠実性の条件９０９とを有する購入インセンティブ９０５を示す。「１ガロンの牛乳に５セントの割引」という報酬は、「今週２５ドル支出する」という条件が満たされている場合にだけ、顧客に与えられる。
【００７０】
購入インセンティブ９０１は、好ましくは、顧客を商品の特定のブランドに切り替えさせるか、商品に対するブランド忠実性を促進するように考案された目立つオファーである。顧客にブランドを切り替えさせる場合、上の図４Ｆに関して論じたように、購入インセンティブは好ましくは、競合のブランドの購入をトリガとする。購入インセンティブ９０５は、顧客を店１１９に再来店させるように考案された目立つオファーである。本発明の１実施形態によれば、店の忠実性に関する報酬は、牛乳、卵、パンなどの基本的な食品の項目に対してであり、顧客が店１１９で特定の項目だけを購入するのではなく、すべての食品雑貨品の買物を行うように奨励する。しかし、場合によっては各購入インセンティブを調節して適切な異なる目的に合わせられることを理解されたい。
【００７１】
図９Ｃは、本発明の１実施形態による、キオスク１２１において顧客に配布することのできる、例としての広告９１１である。広告は特定のブランドと商品を販売促進するためのメッセージ９１３を含む。したがって図９Ｃに見られるように、ブランドＸの甘味料は、１カロリーしかない甘味料として消費者に販売促進される。
【００７２】
図９Ａ、図９Ｂ、図９Ｃに示された報酬、条件、および広告は、食品雑貨品と小売店以外の話題を含んでいてもよい。さらに、購入インセンティブと広告は、図９Ａ、図９Ｂ、図９Ｃに示されていない他の情報を含んでいてもよいし、他の情報は顧客の購入や買物リスト項目に関連がある情報を含んでいてもよいし、または関連がない情報を含んでいてもよい。
【００７３】
当業者であれば明らかなように、本発明の一部は、本発明の教示に従ってプログラミングされた従来の汎用コンピュータまたはマイクロプロセッサを使用して便利に実装できる。ソフトウェア業界の当業者であれば明らかなように、当業界のプログラマであれば、本発明の教示に基づいて適切なソフトウェアを容易に準備することができる。
【００７４】
図１０は、本発明の実施形態が実装できるコンピュータ装置１００１を示す。コンピュータ装置１００１は、情報を通信するためのバス１００３または他の通信機構と、バス１００３と結合され情報を処理するプロセッサ１００５とを含む。コンピュータ装置１００１はまた、バス１００３と結合され、情報と、プロセッサ１００５が実行する命令とを記憶する、ランダムアクセスメモリ（ＲＡＭ）または他のダイナミック記憶装置（たとえばダイナミックＲＡＭ（ＤＲＡＭ）、スタティックＲＡＭ（ＳＲＡＭ）、同期ＤＲＡＭ（ＳＤＲＡＭ）、フラッシュＲＡＭ）などのメインメモリ１００７を含む。さらに、メインメモリ１００７を使用して、プロセッサ１００５が命令を実行している間、一次変数または他の中間情報を記憶することもできる。コンピュータ装置１００１はさらに、バス１００３に結合され、スタティックな情報とプロセッサ１００５の命令とを記憶するリードオンリーメモリ（ＲＯＭ）１００９または、他のスタティック記憶装置（たとえばプログラマブルＲＯＭ（ＰＲＯＭ）、消去可能ＰＲＯＭ（ＥＰＲＯＭ）、および電気消去可能ＰＲＯＭ（ＥＥＰＲＯＭ））を含む。磁気ディスクまたは光ディスクなどの記憶装置１０１１が備えられ、バス１００３に結合されて情報と命令とを記憶する。
【００７５】
コンピュータ装置１００１はまた、特殊目的論理デバイス（たとえば特定用途向け集積回路（ＡＳＩＣ））、または、コンフィギュラブル論理デバイス（たとえばジェネリックアレイオブロジック（ＧＡＬ）、またはリプログラマブルフィールドプログラマブルゲートアレイ（ＦＰＧＡ））を含んでいてもよい。他のリムーバブル媒体装置（たとえばコンパクトディスク、テープ、リムーバブル光磁気媒体）、または固定式の高密度媒体ドライブを、適切なデバイスバス（たとえば小型コンピュータ装置インタフェース（ＳＣＳＩ）バス、またはエンハンスドインテグレーテッドデバイスエレクトロニクス（ＩＤＥ）バス、ウルトラダイレクトメモリアクセス（ＤＭＡ）バス）を使用してコンピュータ装置１００１に追加することもできる。コンピュータ装置１００１はさらに、コンパクトディスクリーダ、コンパクトディスク読取書込ユニット、またはコンパクトディスクジュークボックスを含んでいてもよく、これらの各々は同じデバイスバスに接続してもよいし別のデバイスバスに接続してもよい。
【００７６】
コンピュータ装置１００１は、バス１００３を介して陰極線管（ＣＲＴ）などのディスプレイ１０１３に結合されて、コンピュータユーザに情報を表示する。ディスプレイ１０１３は、ディスプレイカードまたはグラフィックスカードによって制御してもよい。コンピュータ装置は、情報とコマンド選択をプロセッサ１００５に通信するキーボード１０１５とカーソル制御１０１７などの入力装置を含む。たとえばカーソル制御１０１７は方向情報とコマンド選択をプロセッサ１００５に通信し、ディスプレイ１０１３上でカーソルの動きを制御するマウス、トラックボール、またはカーソル方向キーである。さらに、プリンタが、図３Ａから図３Ｆに示されたデータ構造、またはコンピュータ装置１００１が記憶および／または生成した任意の他のデータの印刷されたリストを提供することができる。
【００７７】
コンピュータ装置１００１は、メインメモリ１００７などのメモリ内に含まれた１つまたは複数の命令の１つまたは複数のシーケンスをプロセッサ１００５が実行したことに応答して、本発明の処理ステップの一部または全部を実行する。このような命令は、記憶装置１０１１などの別のコンピュータ読み取り可能な記録媒体からメインメモリ１００７の中に読み込むことができる。マルチプロセシング構成の１台または複数のプロセッサを使用して、メインメモリ１００７に含まれた命令のシーケンスを実行することもできる。別法の実施形態では、ソフトウェア命令の代わりまたはソフトウェア命令と共にハードワイヤード回路を使用することもできる。したがって、実施形態はハードウェア回路とソフトウェアの任意の特定の組み合わせに限定されない。
【００７８】
上記のように、装置１００１は、本発明の教示に従ってプログラミングされ、本明細書に記述されたデータ構造、表、記録、または他のデータを含む少なくとも１つのコンピュータ読み取り可能な記録媒体またはメモリを含む。本発明は、コンピュータで読み取ることのできる任意の媒体１つ、またはコンピュータ読み取り可能な記録媒体の組み合わせに、コンピュータ装置１００１を制御し、本発明を実装するデバイス（複数可）を駆動し、コンピュータ装置１００１がたとえば顧客など人間のユーザと相互作用できるようにするソフトウェアを含む。このようなソフトウェアは、デバイスドライバ、オペレーティングシステム、開発ツール、およびアプリケーションソフトウェアを含むが、これらに限定されるものではない。このようなコンピュータ読み取り可能な記録媒体はさらに、本発明の実装の際に実行される処理の全部または一部（処理が分散されている場合）を実行する、本発明のコンピュータプログラム製品を含む。
【００７９】
本発明のコンピュータコードデバイスは、任意の解釈されたコード機構または実行可能コード機構であり、スクリプト、インタープリタ、ダイナミックリンクライブラリ、Ｊａｖａ（登録商標）クラス、および完全実行可能プログラムを含むが、これらに限定されるものではない。さらに、本発明の処理の一部を分散し、性能、信頼性および／またはコストを改善することもできる。
【００８０】
本明細書に使用されている「コンピュータ読み取り可能な記録媒体（ｃｏｍｐｕｔｅｒ ｒｅａｄａｂｌｅ ｍｅｄｉｕｍ）」という用語は、プロセッサ１００５が実行する命令を提供することに関与する任意の媒体を指す。コンピュータ読み取り可能な記録媒体は多くの形態をとることができ、その中には不揮発性媒体、揮発性媒体、および送信媒体が含まれるが、これらに限定されるものではない。不揮発性媒体はたとえば、記憶装置１０１１などの光ディスク、磁気ディスク、および光磁気ディスクを含む。揮発性媒体はメインメモリ１００７などのダイナミックメモリを含む。送信媒体は、バス１００３を構成するワイヤを含む同軸ケーブル、銅線ワイヤ、および光ファイバを含む。送信媒体はまた、無線波データ通信および赤外線データ通信の間に生成される音波または光波の形態をとることもできる。
【００８１】
コンピュータ読み取り可能な記録媒体の一般的な形態はたとえば、ハードディスク、フロッピー（登録商標）ディスク、テープ、光磁気ディスク、ＰＲＯＭ（ＥＰＲＯＭ、ＥＥＰＲＯＭ、フラッシュＥＰＲＯＭ）、ＤＲＡＭ、ＳＲＡＭ、ＳＤＲＡＭ、または他の任意の磁気媒体、コンパクトディスク（たとえばＣＤ−ＲＯＭ）、または任意の他の光媒体、パンチカード、紙テープ、または孔のパターンを伴う他の物理的な媒体、搬送波（次に説明する）、またはコンピュータが読み取ることのできる他の任意の媒体を含む。
【００８２】
コンピュータ読み取り可能な記録媒体の種々の形態は、プロセッサ１００５が実行する１つまたは複数の命令の１つまたは複数のシーケンスを実行することに関与する。たとえば、命令は最初は遠隔コンピュータの磁気ディスクが担持していてもよい。遠隔コンピュータは本発明の全部または一部を遠隔で実装する命令をダイナミックメモリにロードし、モデムを使用して電話回線上で命令を送信することができる。コンピュータ装置１００１にローカルなモデムは、電話回線上のデータを受信し、赤外線送信器を使用してデータを赤外線信号に変換することができる。バス１００３に結合された赤外線検出装置は赤外線信号で搬送されたデータを受信し、このデータをバス１００３に入れることができる。バス１００３はデータをメインメモリ１００７に搬送し、プロセッサ１００５はメインメモリ１００７から命令を検索し、実行する。オプションとしては、メインメモリ１００７が受信した命令は、プロセッサ１００５が実行する前または実行した後に記憶装置１０１１に記憶することができる。
【００８３】
コンピュータ装置１００１はまた、バス１００３に結合された通信インタフェース１０１９を含む。通信インタフェース１０１９は、ローカルネットワーク（たとえばＬＡＮ１０２３）に接続されたネットワークリンク１０２１に、双方向データ通信結合を提供する。たとえば、通信インタフェース１０１９は、任意のパケット交換ローカルエリアネットワーク（ＬＡＮ）に接続するネットワークインタフェースカードであってもよい。別の例としては、通信インタフェース１０１９は対応するタイプの電話回線にデータ通信接続を提供する、非対称デジタル加入者線（ＡＤＳＬ）カード、総合デジタルサービス網（ＩＳＤＮ）カード、またはモデムであってよい。またワイヤレスリンクも実装できる。このような任意の実施形態において、通信インタフェース１０１９は、種々のタイプの情報を表すデジタルデータストリームを搬送する電気信号、電磁気信号、または光信号を送受信する。
【００８４】
ネットワークリンク１０２１は典型的には、１つまたは複数のネットワークを介してデータ通信を別のデータデバイスに提供する。たとえば、ネットワークリンク１０２１はＬＡＮ１０２３を介して、ホストコンピュータ１０２５、またはＩＰ（インターネットプロトコル）ネットワーク１０２７（たとえばインターネット１０１）を介してデータ通信サービスを提供するサービスプロバイダが運用するデータ装置に、接続を提供することができる。ＬＡＮ１０２３とＩＰネットワーク１０２７はどちらも、デジタルデータストリームを搬送する電気信号、電磁気信号、または光信号を使用する。デジタルデータをコンピュータ装置１００１との間でやりとりする、種々のネットワークを介した信号とネットワークリンク１０２１上で通信インタフェース１０１９を介した信号は、情報を搬送する搬送波の例示的な形態である。コンピュータ装置１００１はネットワーク（複数可）、ネットワークリンク１０２１および通信インタフェース１０１９を介して、通知を送信し、プログラムコードを含むデータを受信することができる。
【００８５】
本発明の教示に照らして、本発明の種々の修正例と変形例が可能であることは明らかである。したがって、本発明は付随する請求項の範囲の中で、本明細書に具体的に記述された方法とは別の方法で実行できることを理解されたい。
【図面の簡単な説明】
【図１】本発明の１実施形態によって個別の買物リストを生成するシステムを示す図である。
【図２】本発明の１実施形態によって使用される携帯機器の構成図である。
【図３】本発明の１実施形態によって、ターゲットを絞った購入インセンティブおよび／または広告と個別の買物リストを共に配布するシステムの概念図である。
【図４Ａ】本発明の１実施形態によって、商品識別子を商品と関連づける商品識別子表を示す図である。
【図４Ｂ】本発明の１実施形態によって、顧客識別子（ＣＩＤ）を現在の買物リストの項目と関連づける買物リスト表を示す図である。
【図４Ｃ】本発明の１実施形態によって、ＣＩＤと、リストと関連づけられた顧客が生成した過去の買物リストを関連づける買物リスト履歴表を示す図である。
【図４Ｄ】本発明の１実施形態によって、商品識別子と分類特性を関連づける商品分類表を示す図である。
【図４Ｅ】本発明の１実施形態によって、既定の購入インセンティブおよび／または広告をＣＩＤと関連づける既定の購入インセンティブ／広告表を示す図である。
【図４Ｆ】本発明の１実施形態によってトリガ項目と購入インセンティブおよび／または広告を関連づけるトリガ項目表を示す図である。
【図５】本発明の１実施形態によって、顧客コンピュータを使用して個別の買物リストを生成するプロセスを説明するフローチャートである。
【図６】本発明の１実施形態によって、携帯機器を使用して個別の買物リストを生成するプロセスを説明するフローチャートである。
【図７】本発明の１実施形態によって、分類された個別の買物リストを生成するプロセスを説明するフローチャートである。
【図８】本発明の１実施形態によって、個別の買物リストと共に購入インセンティブおよび／または広告を配布する方法を説明するフローチャートである。
【図９Ａ】本発明の１実施形態によって、個別の買物リストと共に配布できる、例としての購入インセンティブを示す図である。
【図９Ｂ】本発明の１実施形態によって、個別の買物リストと共に配布できる、例としての購入インセンティブを示す図である。
【図９Ｃ】本発明の１実施形態によって、個別の買物リストと共に配布できる、例としての広告をを示す図である。
【図１０】本発明の特殊目的機能のうち１つまたは複数を実行するようにプログラミングされたコンピュータシステムの概念図である。
【図１】
2004503012.tif 000003
【図２】
2004503012.tif 000004
【図３】
2004503012.tif 000005
【図４Ａ】
2004503012.tif 000006
【図４Ｂ】
2004503012.tif 000007
【図４Ｃ】
2004503012.tif 000008
【図４Ｄ】
2004503012.tif 000009
【図４Ｅ】
2004503012.tif 000010
【図４Ｆ】
2004503012.tif 000011
【図５】
2004503012.tif 000012
【図６】
2004503012.tif 000013
【図７】
2004503012.tif 000014
【図８】
2004503012.tif 000015
【図９Ａ】
2004503012.tif 000016
【図９Ｂ】
2004503012.tif 000017
【図９Ｃ】
2004503012.tif 000018
【図１０】
2004503012.tif 000019
【国際公開パンフレット】
2004503012.tif 000020
2004503012.tif 000021
2004503012.tif 000022
2004503012.tif 000023
2004503012.tif 000024
2004503012.tif 000025
2004503012.tif 000026
2004503012.tif 000027
2004503012.tif 000028
2004503012.tif 000029
2004503012.tif 000030
2004503012.tif 000031
2004503012.tif 000032
2004503012.tif 000033
2004503012.tif 000034
2004503012.tif 000035
2004503012.tif 000036
2004503012.tif 000037
2004503012.tif 000038
2004503012.tif 000039
2004503012.tif 000040
2004503012.tif 000041
2004503012.tif 000042
2004503012.tif 000043
2004503012.tif 000044
2004503012.tif 000045
2004503012.tif 000046
2004503012.tif 000047
2004503012.tif 000048
2004503012.tif 000049
2004503012.tif 000050
2004503012.tif 000051
2004503012.tif 000052
2004503012.tif 000053
2004503012.tif 000054
2004503012.tif 000055
2004503012.tif 000056
2004503012.tif 000057
2004503012.tif 000058
2004503012.tif 000059
2004503012.tif 000060
2004503012.tif 000061
2004503012.tif 000062
2004503012.tif 000063
2004503012.tif 000064
2004503012.tif 000065
2004503012.tif 000066
2004503012.tif 000067
2004503012.tif 000068
2004503012.tif 000069
2004503012.tif 000070
2004503012.tif 000071
2004503012.tif 000072
2004503012.tif 000073
2004503012.tif 000074
2004503012.tif 000075
2004503012.tif 000076
2004503012.tif 000077
2004503012.tif 000078
2004503012.tif 000079
【国際公開パンフレット（コレクトバージョン）】
2004503012.tif 000080
2004503012.tif 000081
【国際調査報告】
2004503012.tif 000082
2004503012.tif 000083
2004503012.tif 000084